(57)【要約】  非公認ゴルフボールは、所定のディンプルパターンでボールの外表面に形成された複数のディンプルを有し、外表面は、合わせて第１のディンプル容積を有する１以上の第１の領域と、第１のディンプル容積よりも小さいディンプル容積を有する少なくとも１つの第２の領域とを含み、第１の領域と第２の領域とは、優先スピン軸を形成するように構成されている。第２の領域は、小さいディンプル容積を有するかディンプルを有していない赤道の周りの帯域であってもよく、大きなディンプル容積を有する極部分とともに、両極を通る優先スピン軸を創成する。
2013525034.tif 000002
【特許請求の範囲】
【請求項１】
外表面と、ジャイロ中心平面と、当該ボールの外表面に形成された複数のディンプルとを有し、前記外表面は、合わせて第１のディンプル容積を有する複数の第１のディンプルを含む１以上の第１の領域と、前記第１のディンプル容積よりも小さいディンプル容積を有する少なくとも１つの第２の領域とを含み、前記第１および第２の領域は、優先スピン軸を形成し、前記ジャイロ中心平面がすべての前記領域を通らないように構成されているゴルフボール。
【請求項２】
前記第１および第２の領域は、非公認ディンプルパターンを画定する、請求項１のゴルフボール。
【請求項３】
前記第２の領域は、赤道の周りの帯域を含み、前記１以上の第１の領域は、ボールの極部分を含む、請求項１のゴルフボール。
【請求項４】
前記帯域は、前記赤道の面の両側に１列が配置された少なくとも２列の第２のディンプルを含む、請求項３のゴルフボール。
【請求項５】
前記帯域は、２列から８列の第２のディンプルを含む、請求項３のゴルフボール。
【請求項６】
前記少なくとも１つの第２の領域は、前記ジャイロ中心平面に対して４５°までの位置にある、請求項１のゴルフボール。
【請求項７】
前記１以上の第１の領域は、前記ジャイロ中心平面に対して４５°までの位置の外側にある、請求項６のゴルフボール。
【請求項８】
前記第２のディンプルは、少なくとも前記第１のディンプルのいくつかよりも容積が小さい、請求項４のゴルフボール。
【請求項９】
前記第１のディンプルは、球形ディンプルであり、前記第２のディンプルは台形ディンプルである、請求項８のゴルフボール。
【請求項１０】
前記台形ディンプルの台形弦深さは、前記球形ディンプルの球形弦深さよりも小さい、請求項９のゴルフボール。
【請求項１１】
前記台形ディンプルは、前記球形ディンプルの少なくともいくつかの半径と等しい半径を有する、請求項１０のゴルフボール。
【請求項１２】
前記台形弦深さは、前記球形弦深さの半分より小さい、請求項１１のゴルフボール。
【請求項１３】
それぞれの前記台形ディンプルの前記台形弦深さは、約０．００４インチであり、それぞれの前記球形ディンプルの前記球形弦深さは、約０．０１２インチである、請求項１０のゴルフボール。
【請求項１４】
前記第１のディンプルおよび前記第２のディンプルは、台形ディンプルである、請求項８のゴルフボール。
【請求項１５】
前記第１のディンプルおよび前記第２のディンプルは、球形ディンプルである、請求項８のゴルフボール。
【請求項１６】
前記極部分の前記ディンプルは、少なくとも２つの異なる大きさのディンプルである、請求項３のゴルフボール。
【請求項１７】
前記極部分の前記ディンプルは、少なくとも３つの異なる大きさのディンプルである、請求項１６のゴルフボール。
【請求項１８】
前記極部分の少なくともいくつかの前記ディンプルは、約０．０６７インチから約０．０８７５インチの第１の範囲の半径を有する、請求項３のゴルフボール。
【請求項１９】
前記極部分の前記ディンプルのすべては、前記第１の範囲の半径を有する、請求項１８のゴルフボール。
【請求項２０】
前記極部分の前記ディンプルは、第１の範囲の半径を有する球形ディンプルの第１の組と、前記第１の範囲の半径よりも小さい第２の範囲の半径を有する球形ディンプルの第２の組とを含む、請求項３のゴルフボール。
【請求項２１】
前記第２の範囲の半径は、約０．０３インチから約０．０４インチである、請求項２０のゴルフボール。
【請求項２２】
第２の組の前記球形ディンプルは、すべて等しい大きさである、請求項２０のゴルフボール。
【請求項２３】
前記球形ディンプルの第２の組は、少なくとも２つの異なる大きさのディンプルを含む、請求項２０のゴルフボール。
【請求項２４】
前記球形ディンプルの第２の組は、３つの異なる大きさのディンプルを含む、請求項２３のゴルフボール。
【請求項２５】
第１の組の前記球形ディンプルは、すべて同じ大きさである、請求項２０のゴルフボール。
【請求項２６】
前記球形ディンプルの第１の組は、少なくとも２つの異なる半径のディンプルを含む、請求項２０のゴルフボール。
【請求項２７】
前記球形ディンプルの第１の組は、最小ディンプル半径と最大ディンプル半径との間の複数の異なる半径を有するディンプルを含む、請求項２６のゴルフボール。
【請求項２８】
前記第１の組のディンプルの大半は、前記最小ディンプル半径と前記最大ディンプル半径との間の半径を有する、請求項２７のゴルフボール。
【請求項２９】
前記最大ディンプル半径のディンプルは、前記最小ディンプル半径のディンプルよりも多い、請求項２７のゴルフボール。
【請求項３０】
前記極部分の前記ディンプルは、すべて同じ大きさである、請求項３のゴルフボール。
【請求項３１】
前記第２の組のディンプルの少なくともいくつかは、前記第１の組のディンプルの少なくともいくつかの半径の約半分の半径を有する、請求項２０のゴルフボール。
【請求項３２】
前記第２の組のディンプルは、約０．０３０から０．０４０インチの範囲の半径を有し、前記第１の組のディンプルは、約０．０６５から０．０７５インチの範囲の半径を有する、請求項２０のゴルフボール。
【請求項３３】
前記ディンプルの第２の組は、約０．０３０，０．０３５および０．０４０インチの直径を有するディンプルを含み、前記ディンプルの第１の組は、約０．０６７，０．０７２５および０．０７５インチの直径を有するディンプルを含む、請求項３１のゴルフボール。
【請求項３４】
前記ディンプルの第２の組は、それぞれ、約０．００８インチの球形弦深さを有し、前記ディンプルの第１の組は、それぞれ、約０．０１２インチの球形弦深さを有する、請求項２０のゴルフボール。
【請求項３５】
前記第２の組のディンプルは、前記第１の組のディンプルの少なくともいくつかの間にちりばめられている、請求項２０のゴルフボール。
【請求項３６】
前記第２の組のディンプルは、前記極に近い前記第１の組のディンプルの間にちりばめられ、当該ボールの周囲に延伸し、前記赤道の周りの帯域に隣接するそれぞれの前記極部分の少なくとも１つの領域は、前記第１の組のディンプルのみを含む、請求項３５のゴルフボール。
【請求項３７】
前記ディンプルの第２の組は、前記極のそれぞれの周囲に配置され、前記ディンプルの第１の組は、前記ディンプルの第２の組と前記赤道の周りの容積を減じた前記帯域との間に配置されている、請求項２０のゴルフボール。
【請求項３８】
原文に記載なし。
【請求項３９】
前記第１のディンプルおよび前記第２のディンプルは、それぞれ、複数の異なる大きさのディンプルを含む、請求項９のゴルフボール。
【請求項４０】
前記赤道の周りの前記帯域は、ディンプルのない領域を含む、請求項３のゴルフボール。
【請求項４１】
前記赤道の周りの前記帯域は、ディンプルを含まない、請求項３９のゴルフボール。
【請求項４２】
前記ディンプルのない領域は、前記赤道の周りに延伸して、前記赤道の面を中心とし、前記帯域は、前記ディンプルのない領域の両側において当該ボールの周りに延伸する少なくとも１列のディンプルの列を含む、請求項３９のゴルフボール。
【請求項４３】
前記優先スピン軸は、両極を通って延伸し、それにより、当該ボールが極水平（ＰＨ）配向から打ち出されたときに低減された曲がりが生成される、請求項１のゴルフボール。
【請求項４４】
前記ディンプルの総数は、３３６から４１０の間である、請求項３のゴルフボール。
【請求項４５】
前記赤道の周りの前記帯域の前記ディンプルの総数は、１８４から２４０の間である、請求項３のゴルフボール。
【請求項４６】
一方の前記極部分の前記ディンプルの総数は、４８から１１３の間である、請求項４４のゴルフボール。
【請求項４７】
前記赤道の周りの前記帯域内の前記ディンプルは、台形であり、前記極部分の前記ディンプルの少なくともいくつかのものよりも小さい半径と、前記極部分の前記ディンプルの球形弦深さの半分以下の台形弦深さとを有する、請求項９のゴルフボール。
【請求項４８】
前記第１および第２の領域は、当該ゴルフボールがティーの上に前記優先軸が右に約４５°傾斜するように配向されたとき、フックの曲がりよりもスライスの曲がりが低減されるように構成されている、請求項１のゴルフボール。
【請求項４９】
前記第１および第２の領域は、当該ゴルフボールがティーの上に前記優先軸が左に約４５°傾斜するように配向されたとき、スライスの曲がりよりもフックの曲がりが低減されるように構成されている、請求項１のゴルフボール。
【請求項５０】
外表面と、ジャイロ中心平面と、当該ボールの外表面に形成された複数のディンプルとを有し、前記外表面は、合わせて第１のディンプル容積を有する複数の第１のディンプルを含む１以上の第１の領域と、前記第１のディンプル容積よりも小さい第２のディンプル容積を有する少なくとも１つの第２の領域とを含み、前記第１および第２の領域は、優先スピン軸を形成し、前記少なくとも１つの第２の領域が前記ジャイロ中心平面の周囲に形成されるように構成されているゴルフボール。
【請求項５１】
外表面と、ジャイロ中心平面と、当該ボールの外表面に形成された複数のディンプルとを有し、前記外表面は、合わせて第１のディンプル容積を有する複数の第１のディンプルを含む１以上の第１の領域と、前記第１のディンプル容積よりも小さい第２のディンプル容積を有する少なくとも１つの第２の領域とを含み、前記第１および第２の領域は、少なくとも０．１００パーセントの当該ゴルフボールの慣性モーメント（ＭＯＩ）の差を形成し、前記ジャイロ中心平面がすべての前記領域を通らないように構成されているゴルフボール。
【請求項５２】
前記ＭＯＩの差は、約０．１００から約０．５００パーセントの範囲内である、請求項５０のゴルフボール。
【請求項５３】
前記ＭＯＩの差は、約０．２００から約０．５００パーセントの範囲内である、請求項５０のゴルフボール。
【請求項５４】
前記ＭＯＩの差は、約０．２５０から約０．５００パーセントの範囲内である、請求項５０のゴルフボール。
【請求項５５】
前記ＭＯＩの差は、約０．２００パーセントよりも大きい、請求項５０のゴルフボール。
【請求項５６】
前記ＭＯＩの差は、約０．３００パーセントよりも大きい、請求項５０のゴルフボール。
【請求項５７】
前記ＭＯＩの差は、約０．４００パーセントよりも大きい、請求項５０のゴルフボール。
【請求項５８】
前記ＭＯＩの差は、当該ゴルフボールの最大慣性モーメントから最小慣性モーメントを減じ、前記最大慣性モーメントで除して算出される、請求項５０のゴルフボール。
【請求項５９】
前記第１および第２の領域は、前記優先スピン軸を形成するように構成され、前記最大慣性モーメントは、当該ボールが前記優先スピン軸の周りに回転するように配向されたときに達成される、請求項５７のゴルフボール。
【請求項６０】
前記最小慣性モーメントは、当該ボールが前記優先スピン軸の周りに回転するように配向されていないときに達成される、請求項５８のゴルフボール。
【請求項６１】
前記優先スピン軸の周りに回転を生じる配向は、極水平（ＰＨ）配向である、請求項５８のゴルフボール。
【請求項６２】
前記第１および第２の領域は、当該ボールがティーの上に前記ジャイロ中心平面が地面に垂直になり、前記ジャイロ中心平面が意図する飛翔の方向を指すように配置されたときに、それらが、従来のＵＳＧＡ公認ボールよりも約５％以上少ないキャリー曲がりを生成するように構成されている、請求項５８のゴルフボール。
【請求項６３】
前記第１および第２の領域は、当該ボールがティーの上に前記ジャイロ中心平面が地面に垂直になり、前記ジャイロ中心平面が意図する飛翔の方向を指すように配置されたときに、それらが、従来のＵＳＧＡ公認ボールよりも約１５％以上少ないキャリー曲がりを生成するように構成されている、請求項５８のゴルフボール。
【請求項６４】
前記第１および第２の領域は、当該ボールがティーの上に前記ジャイロ中心平面が地面に垂直になり、前記ジャイロ中心平面が意図する飛翔の方向を指すように配置されたときに、それらが、従来のＵＳＧＡ公認ボールよりも約２５％以上少ないキャリー曲がりを生成するように構成されている、請求項５８のゴルフボール。
【請求項６５】
前記第１および第２の領域は、当該ボールがティーの上に前記ジャイロ中心平面が地面に垂直になり、前記ジャイロ中心平面が意図する飛翔の方向を指すように配置されたときに、それらが、従来のＵＳＧＡ公認ボールよりも約３５％以上少ないキャリー曲がりを生成するように構成されている、請求項５８のゴルフボール。
【請求項６６】
前記第１および第２の領域は、当該ボールがティーの上に前記ジャイロ中心平面が地面に垂直になり、前記ジャイロ中心平面が意図する飛翔の方向を指すように配置されたときに、それらが、従来のＵＳＧＡ公認ボールよりも約４５％以上少ないキャリー曲がりを生成するように構成されている、請求項５８のゴルフボール。
【請求項６７】
前記第１および第２の領域は、当該ボールがティーの上に前記ジャイロ中心平面が地面に垂直になり、前記ジャイロ中心平面が意図する飛翔の方向を指すように配置されたときに、それらが、従来のＵＳＧＡ公認ボールよりも約５５％以上少ないキャリー曲がりを生成するように構成されている、請求項５８のゴルフボール。
【請求項６８】
前記第１および第２の領域は、当該ボールがティーの上に前記ジャイロ中心平面が地面に垂直になり、前記ジャイロ中心平面が意図する飛翔の方向を指すように配置されたときに、それらが、従来のＵＳＧＡ公認ボールよりも約６５％以上少ないキャリー曲がりを生成するように構成されている、請求項５８のゴルフボール。
【請求項６９】
前記第１および第２の領域は、当該ボールがティーの上に前記ジャイロ中心平面が地面に垂直になり、前記ジャイロ中心平面が意図する飛翔の方向を指すように配置されたときに、それらが、従来のＵＳＧＡ公認ボールよりも約７５％以上少ないキャリー曲がりを生成するように構成されている、請求項５８のゴルフボール。
【請求項７０】
前記第１および第２の領域は、当該ボールがティーの上に前記ジャイロ中心平面が地面に垂直になり、前記ジャイロ中心平面が意図する飛翔の方向を指すように配置されたときに、それらが、従来のＵＳＧＡ公認ボールよりも約８５％以上少ないキャリー曲がりを生成するように構成されている、請求項５８のゴルフボール。
【請求項７１】
外表面と、ジャイロ中心平面と、赤道および２つの極と、当該ボールの外表面に形成された複数のディンプルとを有し、前記外表面は、合わせて第１のディンプル容積を有する複数の第１のディンプルを含む１以上の第１の領域と、前記第１のディンプル容積よりも小さい第２のディンプル容積を有する少なくとも１つの第２の領域とを含み、前記第１および第２の領域は、優先スピン軸を形成し、当該ゴルフボールが、少なくとも０．１００パーセントの当該ゴルフボールの慣性モーメント（ＭＯＩ）の差を呈し、当該ボールが前記優先スピン軸の周りに約３５００ｒｐｍ以上のスピン量で回転するときに、レイノルズ数約１２００００において約０．２４よりも小さく、レイノルズ数約１８００００において約０．１８よりも小さい揚力係数を呈するように構成されているゴルフボール。
【請求項７２】
前記揚力係数は、当該ゴルフボールが前記優先スピン軸の周りに回転するとき、レイノルズ数約１３００００およびスピン量約３５００ｒｐｍにおいて約０．２３より小さい、請求項７０のゴルフボール。
【請求項７３】
前記揚力係数は、当該ゴルフボールが前記優先スピン軸の周りに回転するとき、レイノルズ数約１４００００およびスピン量約３５００ｒｐｍにおいて約０．２２より小さい、請求項７０のゴルフボール。
【請求項７４】
前記揚力係数は、当該ゴルフボールが前記優先スピン軸の周りに回転するとき、レイノルズ数約１５００００およびスピン量約３５００ｒｐｍにおいて約０．２１より小さい、請求項７０のゴルフボール。
【請求項７５】
前記揚力係数は、当該ゴルフボールが前記優先スピン軸の周りに回転するとき、レイノルズ数約１６００００およびスピン量約３５００ｒｐｍにおいて約０．２０より小さい、請求項７０のゴルフボール。
【請求項７６】
前記揚力係数は、当該ゴルフボールが前記優先スピン軸の周りに回転するとき、レイノルズ数約１７００００およびスピン量約３５００ｒｐｍにおいて約０．１９より小さい、請求項７０のゴルフボール。
【請求項７７】
前記揚力係数は、当該ゴルフボールが前記優先スピン軸の周りに回転するとき、レイノルズ数約１２００００およびスピン量約３５００ｒｐｍにおいて約０．１４より大きい、請求項７０のゴルフボール。
【請求項７８】
前記揚力係数は、当該ゴルフボールが前記優先スピン軸の周りに回転するとき、レイノルズ数約１３００００およびスピン量約３５００ｒｐｍにおいて約０．１３より大きい、請求項７０のゴルフボール。
【請求項７９】
前記揚力係数は、当該ゴルフボールが前記優先スピン軸の周りに回転するとき、レイノルズ数約１４００００およびスピン量約３５００ｒｐｍにおいて約０．１２より大きい、請求項７０のゴルフボール。
【請求項８０】
前記揚力係数は、当該ゴルフボールが前記優先スピン軸の周りに回転するとき、レイノルズ数約１５００００およびスピン量約３５００ｒｐｍにおいて約０．１２より大きい、請求項７０のゴルフボール。
【請求項８１】
前記揚力係数は、当該ゴルフボールが前記優先スピン軸の周りに回転するとき、レイノルズ数約１６００００およびスピン量約３５００ｒｐｍにおいて約０．１１より大きい、請求項７０のゴルフボール。
【請求項８２】
前記揚力係数は、当該ゴルフボールが前記優先スピン軸の周りに回転するとき、レイノルズ数約１７００００およびスピン量約３５００ｒｐｍにおいて約０．１１より大きい、請求項７０のゴルフボール。
【請求項８３】
前記揚力係数は、当該ゴルフボールが前記優先スピン軸の周りに回転するとき、レイノルズ数約１８００００およびスピン量約３５００ｒｐｍにおいて約０．１９より大きい、請求項７０のゴルフボール。
【請求項８４】
前記第１および第２の領域は、非公認ディンプルパターンを画定する、請求項７０のゴルフボール。
【請求項８５】
外表面と、ジャイロ中心平面と、赤道および２つの極と、当該ボールの外表面に形成された複数のディンプルとを有し、前記外表面は、合わせて第１のディンプル容積を有する複数の第１のディンプルを含む１以上の第１の領域と、前記第１のディンプル容積よりも小さい第２のディンプル容積を有する少なくとも１つの第２の領域とを含み、前記第１および第２の領域は、当該ゴルフボール少なくとも０．１００パーセントのＭＯＩにおいて優先スピン軸を形成し、当該ボールが約３５００ｒｐｍより大きい回転量で前記優先スピン軸の周りに回転するとき、レイノルズ数約１２００００から約１８００００の範囲に亘って、当該ゴルフボールが約０．１８よりも小さい揚力係数を呈するように構成されているゴルフボール。
【請求項８６】
前記揚力係数は、当該ゴルフボールが前記優先スピン軸の周りに回転するとき、レイノルズス約１２００００およびスピン量約３５００において、約０．１６よりも小さい、請求項８４のゴルフボール。
【請求項８７】
前記揚力係数は、当該ゴルフボールが前記優先スピン軸の周りに回転するとき、レイノルズス約１３００００およびスピン量約３５００において、約０．１５よりも小さい、請求項８４のゴルフボール。
【請求項８８】
前記揚力係数は、当該ゴルフボールが前記優先スピン軸の周りに回転するとき、レイノルズス約１４００００およびスピン量約３５００において、約０．１４よりも小さい、請求項８４のゴルフボール。
【請求項８９】
前記揚力係数は、当該ゴルフボールが前記優先スピン軸の周りに回転するとき、レイノルズス約１５００００およびスピン量約３５００において、約０．１４よりも小さい、請求項８４のゴルフボール。
【請求項９０】
前記揚力係数は、当該ゴルフボールが前記優先スピン軸の周りに回転するとき、レイノルズス約１６００００およびスピン量約３５００において、約０．１３よりも小さい、請求項８４のゴルフボール。
【請求項９１】
前記揚力係数は、当該ゴルフボールが前記優先スピン軸の周りに回転するとき、レイノルズス約１７００００およびスピン量約３５００において、約０．１２よりも小さい、請求項８４のゴルフボール。
【請求項９２】
前記揚力係数は、当該ゴルフボールが前記優先スピン軸の周りに回転するとき、レイノルズス約１８００００およびスピン量約３５００において、約０．１２よりも小さい、請求項８４のゴルフボール。
【請求項９３】
前記揚力係数は、当該ゴルフボールが前記優先スピン軸の周りに回転するとき、レイノルズス約１２００００およびスピン量約３５００において、約０．１４よりも大きい、請求項８４のゴルフボール。
【請求項９４】
前記揚力係数は、当該ゴルフボールが前記優先スピン軸の周りに回転するとき、レイノルズス約１３００００およびスピン量約３５００において、約０．１３よりも大きい、請求項８４のゴルフボール。
【請求項９５】
前記揚力係数は、当該ゴルフボールが前記優先スピン軸の周りに回転するとき、レイノルズス約１４００００およびスピン量約３５００において、約０．１２よりも大きい、請求項８４のゴルフボール。
【請求項９６】
前記揚力係数は、当該ゴルフボールが前記優先スピン軸の周りに回転するとき、レイノルズス約１５００００およびスピン量約３５００において、約０．１２よりも大きい、請求項８４のゴルフボール。
【請求項９７】
前記揚力係数は、当該ゴルフボールが前記優先スピン軸の周りに回転するとき、レイノルズス約１６００００およびスピン量約３５００において、約０．１１よりも大きい、請求項８４のゴルフボール。
【請求項９８】
前記揚力係数は、当該ゴルフボールが前記優先スピン軸の周りに回転するとき、レイノルズス約１７００００およびスピン量約３５００において、約０．１１よりも大きい、請求項８４のゴルフボール。
【請求項９９】
前記揚力係数は、当該ゴルフボールが前記優先スピン軸の周りに回転するとき、レイノルズス約１８００００およびスピン量約３５００において、約０．１９よりも大きい、請求項８４のゴルフボール。
【請求項１００】
前記第１および第２の領域は、非公認ディンプルパターンを画定する、請求項８４のゴルフボール。
【請求項１０１】
前記ＭＯＩの差は、約０．１００から約０．５００パーセントの範囲内である、請求項８４のゴルフボール。
【請求項１０２】
前記ＭＯＩの差は、約０．２００から約０．５００パーセントの範囲内である、請求項８４のゴルフボール。
【請求項１０３】
前記ＭＯＩの差は、約０．２５０から約０．５００パーセントの範囲内である、請求項８４のゴルフボール。
【請求項１０４】
前記ＭＯＩの差は、約０．２００パーセントよりも大きい、請求項８４のゴルフボール。
【請求項１０５】
前記ＭＯＩの差は、約０．３００パーセントよりも大きい、請求項８４のゴルフボール。
【請求項１０６】
前記ＭＯＩの差は、約０．４００パーセントよりも大きい、請求項８４のゴルフボール。
【請求項１０７】
前記ＭＯＩの差は、当該ゴルフボールの最大慣性モーメントから最小慣性モーメントを減じ、前記最大慣性モーメントで除して算出される、請求項８４のゴルフボール。
【請求項１０８】
前記第１および第２の領域は、前記優先スピン軸を形成するように構成され、前記最大慣性モーメントは、当該ボールが前記優先スピン軸の周りに回転するように配向されたときに達成される、請求項１０６のゴルフボール。
【請求項１０９】
前記最小慣性モーメントは、当該ボールが前記優先スピン軸の周りに回転するような配向と異なる配向であるときに達成される、請求項１０７のゴルフボール。
【請求項１１０】
前記優先スピン軸の周りに回転を生じる配向は、極水平（ＰＨ）配向である、請求項１０７のゴルフボール。
【請求項１１１】
外表面と、ジャイロ中心平面と、当該ボールの外表面に形成された複数のディンプルとを有し、前記外表面は、合わせて第１のディンプル容積を有する複数の第１のディンプルを含む１以上の第１の領域と、前記第１のディンプル容積よりも小さい第２のディンプル容積を有する少なくとも１つの第２の領域とを含み、前記第１および第２の領域は、優先スピン軸を形成し、前記ジャイロ中心平面がすべての前記領域を通らず、且つ、少なくとも０．１００パーセントの当該ゴルフボールの慣性モーメント（ＭＯＩ）の差を形成するように構成されているゴルフボール。
【請求項１１２】
前記第１および第２の領域は、非公認ディンプルパターンを画定する、請求項１１０のゴルフボール。
【請求項１１３】
前記第２の領域は、前記赤道の周りの帯域を含み、前記１以上の第１の領域は、ボールの極部分を含む、請求項１１０のゴルフボール。
【請求項１１４】
前記帯域は、前記赤道の面の両側に１列が配置された少なくとも２列の第２のディンプルを含む、請求項１１２のゴルフボール。
【請求項１１５】
前記帯域は、２列から８列の第２のディンプルを含む、請求項１１２のゴルフボール。
【請求項１１６】
前記第２のディンプルは、少なくとも前記第１のディンプルのいくつかよりも容積が小さい、請求項１１３のゴルフボール。
【請求項１１７】
前記第１のディンプルは、球形ディンプルであり、前記第２のディンプルは台形ディンプルである、請求項１１５のゴルフボール。
【請求項１１８】
前記台形ディンプルの台形弦深さは、前記球形ディンプルの球形弦深さよりも小さい、請求項１１６のゴルフボール。
【請求項１１９】
前記台形ディンプルは、前記球形ディンプルの少なくともいくつかの半径と等しい半径を有する、請求項１１７のゴルフボール。
【請求項１２０】
前記台形弦深さは、前記球形弦深さの半分より小さい、請求項１１８のゴルフボール。
【請求項１２１】
それぞれの前記台形ディンプルの前記台形弦深さは、約０．００４インチであり、それぞれの前記球形ディンプルの前記球形弦深さは、約０．０１２インチである、請求項１１７のゴルフボール。
【請求項１２２】
前記球形ディンプルの第２の組は、少なくとも２つの異なる大きさのディンプルを含む、請求項１１２のゴルフボール。
【請求項１２３】
前記球形ディンプルの第２の組は、３つの異なる大きさのディンプルを含む、請求項１２１のゴルフボール。
【請求項１２４】
前記極部分の少なくともいくつかの前記ディンプルは、約０．０６７インチから約０．０８７５インチの第１の範囲の半径を有する、請求項１１２のゴルフボール。
【請求項１２５】
前記極部分の前記ディンプルのすべては、前記第１の範囲の半径を有する、請求項１２３のゴルフボール。
【請求項１２６】
前記極部分の前記ディンプルは、第１の範囲の半径を有する球形ディンプルの第１の組と、前記第１の範囲の半径よりも小さい第２の範囲の半径を有する球形ディンプルの第２の組とを含む、請求項１１２のゴルフボール。
【請求項１２７】
前記第２の範囲の半径は、約０．０３インチから約０．０４インチである、請求項１２５のゴルフボール。
【請求項１２８】
第２の組の前記球形ディンプルは、すべて等しい大きさである、請求項１２５のゴルフボール。
【請求項１２９】
前記球形ディンプルの第２の組は、少なくとも２つの異なる大きさのディンプルを含む、請求項１２５のゴルフボール。
【請求項１３０】
前記球形ディンプルの第２の組は、３つの異なる大きさのディンプルを含む、請求項１２８のゴルフボール。
【請求項１３１】
第１の組の前記球形ディンプルは、すべて同じ大きさである、請求項１２５のゴルフボール。
【請求項１３２】
前記球形ディンプルの第１の組は、少なくとも２つの異なる半径のディンプルを含む、請求項１２５のゴルフボール。
【請求項１３３】
前記球形ディンプルの第１の組は、最小ディンプル半径と最大ディンプル半径との間の複数の異なる半径を有するディンプルを含む、請求項１３１のゴルフボール。
【請求項１３４】
前記第１の組のディンプルの大半は、前記最小ディンプル半径と前記最大ディンプル半径との間の半径を有する、請求項１３２のゴルフボール。
【請求項１３５】
前記最大ディンプル半径のディンプルは、前記最小ディンプル半径のディンプルよりも多い、請求項１３２のゴルフボール。
【請求項１３６】
前記極部分の前記ディンプルは、すべて同じ大きさである、請求項１１２のゴルフボール。
【請求項１３７】
前記第２の組のディンプルの少なくともいくつかは、前記第１の組のディンプルの少なくともいくつかの半径の約半分の半径を有する、請求項１２５のゴルフボール。
【請求項１３８】
前記第２の組のディンプルは、約０．０３０から０．０４０インチの範囲の半径を有し、前記第１の組のディンプルは、約０．０６５から０．０７５インチの範囲の半径を有する、請求項１２５のゴルフボール。
【請求項１３９】
前記ディンプルの第２の組は、約０．０３０，０．０３５および０．０４０インチの直径を有するディンプルを含み、前記ディンプルの第１の組は、約０．０６７，０．０７２５および０．０７５インチの直径を有するディンプルを含む、請求項１３６のゴルフボール。
【請求項１４０】
前記ディンプルの第２の組は、それぞれ、約０．００８インチの球形弦深さを有し、前記ディンプルの第１の組は、それぞれ、約０．０１２インチの球形弦深さを有する、請求項１２５のゴルフボール。
【請求項１４１】
前記第２の組のディンプルは、前記第１の組のディンプルの少なくともいくつかの間にちりばめられている、請求項１２５のゴルフボール。
【請求項１４２】
前記第２の組のディンプルは、前記極に近い前記第１の組のディンプルの間にちりばめられ、当該ボールの周囲に延伸し、前記赤道の周りの帯域に隣接するそれぞれの前記極部分の少なくとも１つの領域は、前記第１の組のディンプルのみを含む、請求項１４０のゴルフボール。
【請求項１４３】
前記ディンプルの第２の組は、前記極のそれぞれの周囲に配置され、前記ディンプルの第１の組は、前記ディンプルの第２の組と前記赤道の周りの容積を減じた前記帯域との間に配置されている、請求項１２５のゴルフボール。
【請求項１４４】
前記第１のディンプルおよび前記第２のディンプルは、それぞれ、複数の異なる大きさのディンプルを含む、請求項１１６のゴルフボール。
【請求項１４５】
前記赤道の周りの前記帯域は、ディンプルのない領域を含む、請求項１１２のゴルフボール。
【請求項１４６】
前記赤道の周りの前記帯域は、ディンプルを含まない、請求項１４４のゴルフボール。
【請求項１４７】
前記ディンプルのない領域は、前記赤道の周りに延伸して、前記赤道の面を中心とし、前記帯域は、前記ディンプルのない領域の両側において当該ボールの周りに延伸する少なくとも１列のディンプルの列を含む、請求項１４４のゴルフボール。
【請求項１４８】
前記優先スピン軸は、両極を通って延伸し、それにより、当該ボールが極水平（ＰＨ）配向から打ち出されたときに低減された曲がりが生成される、請求項１１０のゴルフボール。
【請求項１４９】
前記ディンプルの総数は、３３６から４１０の間である、請求項１１２のゴルフボール。
【請求項１５０】
前記赤道の周りの前記帯域の前記ディンプルの総数は、１８４から２４０の間である、請求項１１２のゴルフボール。
【請求項１５１】
一方の前記極部分の前記ディンプルの総数は、４８から１１３の間である、請求項１４９のゴルフボール。
【請求項１５２】
前記赤道の周りの前記帯域内の前記ディンプルは、台形であり、前記極部分の前記ディンプルの少なくともいくつかのものよりも小さい半径と、前記極部分の前記ディンプルの球形弦深さの半分以下の台形弦深さとを有する、請求項１１６のゴルフボール。
【請求項１５３】
前記ＭＯＩの差は、約０．１００から約０．５００パーセントの範囲内である、請求項１１０のゴルフボール。
【請求項１５４】
前記ＭＯＩの差は、約０．２００から約０．５００パーセントの範囲内である、請求項１１０のゴルフボール。
【請求項１５５】
前記ＭＯＩの差は、約０．２５０から約０．５００パーセントの範囲内である、請求項１１０のゴルフボール。
【請求項１５６】
前記ＭＯＩの差は、約０．２００パーセントよりも大きい、請求項１１０のゴルフボール。
【請求項１５７】
前記ＭＯＩの差は、約０．３００パーセントよりも大きい、請求項１１０のゴルフボール。
【請求項１５８】
前記ＭＯＩの差は、約０．４００パーセントよりも大きい、請求項１１０のゴルフボール。
【請求項１５９】
前記ＭＯＩの差は、当該ゴルフボールの最大慣性モーメントから最小慣性モーメントを減じ、前記最大慣性モーメントで除して算出される、請求項１１０のゴルフボール。
【請求項１６０】
前記第１および第２の領域は、前記優先スピン軸を形成するように構成され、前記最大慣性モーメントは、当該ボールが前記優先スピン軸の周りに回転するように配向されたときに達成される、請求項１５８のゴルフボール。
【請求項１６１】
前記最小慣性モーメントは、当該ボールが前記優先スピン軸の周りに回転するような配向と異なる配向であるときに達成される、請求項１５９のゴルフボール。
【請求項１６２】
前記優先スピン軸の周りに回転を生じる配向は、極水平（ＰＨ）配向である、請求項１５９のゴルフボール。
【請求項１６３】
外表面と、ジャイロ中心平面と、赤道および２つの極と、当該ボールの外表面に形成された複数のディンプルとを有し、前記外表面は、合わせて第１のディンプル容積を有する複数の第１のディンプルを含む１以上の第１の領域と、前記第１のディンプル容積よりも小さい第２のディンプル容積を有する少なくとも１つの第２の領域とを含み、前記第１および第２の領域は、少なくとも０．１００パーセントの当該ゴルフボールの慣性モーメント（ＭＯＩ）の差を形成し、優先スピン軸を形成し、当該ボールが前記優先スピン軸の周りに約３５００ｒｐｍ以上のスピン量で回転するときに、レイノルズ数約１２００００において約０．２７よりも小さく、レイノルズ数約１８００００において約０．２４よりも小さい抗力係数を呈するように構成されているゴルフボール。
【請求項１６４】
前記抗力係数は、当該ゴルフボールが前記優先スピン軸の周りに回転するとき、レイノルズ数約１３００００およびスピン量約３５００ｒｐｍにおいて約０．２６より小さい、請求項１６２のゴルフボール。
【請求項１６５】
前記抗力係数は、当該ゴルフボールが前記優先スピン軸の周りに回転するとき、レイノルズ数約１４００００およびスピン量約３５００ｒｐｍにおいて約０．２５より小さい、請求項１６２のゴルフボール。
【請求項１６６】
前記抗力係数は、当該ゴルフボールが前記優先スピン軸の周りに回転するとき、レイノルズ数約１５００００およびスピン量約３５００ｒｐｍにおいて約０．２５より小さい、請求項１６２のゴルフボール。
【請求項１６７】
前記抗力係数は、当該ゴルフボールが前記優先スピン軸の周りに回転するとき、レイノルズ数約１６００００およびスピン量約３５００ｒｐｍにおいて約０．２４より小さい、請求項１６２のゴルフボール。
【請求項１６８】
前記抗力係数は、当該ゴルフボールが前記優先スピン軸の周りに回転するとき、レイノルズ数約１７００００およびスピン量約３５００ｒｐｍにおいて約０．２４より小さい、請求項１６２のゴルフボール。
【請求項１６９】
前記抗力係数は、当該ゴルフボールが前記優先スピン軸の周りに回転するとき、レイノルズ数約１２００００およびスピン量約３５００ｒｐｍにおいて約０．２５０より大きい、請求項１６２のゴルフボール。
【請求項１７０】
前記抗力係数は、当該ゴルフボールが前記優先スピン軸の周りに回転するとき、レイノルズ数約１３００００およびスピン量約３５００ｒｐｍにおいて約０．２４より大きい、請求項１６２のゴルフボール。
【請求項１７１】
前記抗力係数は、当該ゴルフボールが前記優先スピン軸の周りに回転するとき、レイノルズ数約１４００００およびスピン量約３５００ｒｐｍにおいて約０．２４より大きい、請求項１６２のゴルフボール。
【請求項１７２】
前記抗力係数は、当該ゴルフボールが前記優先スピン軸の周りに回転するとき、レイノルズ数約１５００００およびスピン量約３５００ｒｐｍにおいて約０．２３より大きい、請求項１６２のゴルフボール。
【請求項１７３】
前記抗力係数は、当該ゴルフボールが前記優先スピン軸の周りに回転するとき、レイノルズ数約１６００００およびスピン量約３５００ｒｐｍにおいて約０．２２より大きい、請求項１６２のゴルフボール。
【請求項１７４】
前記抗力係数は、当該ゴルフボールが前記優先スピン軸の周りに回転するとき、レイノルズ数約１７００００およびスピン量約３５００ｒｐｍにおいて約０．２２より大きい、請求項１６２のゴルフボール。
【請求項１７５】
前記抗力係数は、当該ゴルフボールが前記優先スピン軸の周りに回転するとき、レイノルズ数約１８００００およびスピン量約３５００ｒｐｍにおいて約０．２１より大きい、請求項１６２のゴルフボール。
【請求項１７６】
前記第１および第２の領域は、非公認ディンプルパターンを画定する、請求項１６２のゴルフボール。
【請求項１７７】
外表面と、赤道および２つの極と、当該ボールの外表面に形成された複数のディンプルとを有し、前記外表面は、合わせて第１のディンプル容積を有する複数の第１のディンプルを含む１以上の第１の領域と、前記第１のディンプル容積よりも小さい第２のディンプル容積を有する少なくとも１つの第２の領域とを含み、前記第１および第２の領域は、優先スピン軸を形成し、少なくとも０．１００パーセントの当該ゴルフボールの慣性モーメント（ＭＯＩ）の差を形成し、当該ボールが前記優先スピン軸の周りに約３５００ｒｐｍ以上のスピン量で回転するときに、レイノルズ数約１２００００から約１８００００の範囲に亘って、約０．２４よりも小さい抗力係数を呈するように構成されているゴルフボール。
【請求項１７８】
前記抗力係数は、当該ゴルフボールが前記優先スピン軸の周りに回転するとき、レイノルズ数約１２００００およびスピン量約３５００ｒｐｍにおいて約０．２６より小さい、請求項１７６のゴルフボール。
【請求項１７９】
前記抗力係数は、当該ゴルフボールが前記優先スピン軸の周りに回転するとき、レイノルズ数約１３００００およびスピン量約３５００ｒｐｍにおいて約０．２５より小さい、請求項１７６のゴルフボール。
【請求項１８０】
前記抗力係数は、当該ゴルフボールが前記優先スピン軸の周りに回転するとき、レイノルズ数約１４００００およびスピン量約３５００ｒｐｍにおいて約０．２５より小さい、請求項１７６のゴルフボール。
【請求項１８１】
前記抗力係数は、当該ゴルフボールが前記優先スピン軸の周りに回転するとき、レイノルズ数約１５００００およびスピン量約３５００ｒｐｍにおいて約０．２４より小さい、請求項１７６のゴルフボール。
【請求項１８２】
前記抗力係数は、当該ゴルフボールが前記優先スピン軸の周りに回転するとき、レイノルズ数約１６００００およびスピン量約３５００ｒｐｍにおいて約０．２４より小さい、請求項１７６のゴルフボール。
【請求項１８３】
前記抗力係数は、当該ゴルフボールが前記優先スピン軸の周りに回転するとき、レイノルズ数約１７００００およびスピン量約３５００ｒｐｍにおいて約０．２３より小さい、請求項１７６のゴルフボール。
【請求項１８４】
前記抗力係数は、当該ゴルフボールが前記優先スピン軸の周りに回転するとき、レイノルズ数約１８００００およびスピン量約３５００ｒｐｍにおいて約０．２２より小さい、請求項１７６のゴルフボール。
【請求項１８５】
前記抗力係数は、当該ゴルフボールが前記優先スピン軸の周りに回転するとき、レイノルズ数約１２００００およびスピン量約３５００ｒｐｍにおいて約０．２５より大きい、請求項１７６のゴルフボール。
【請求項１８６】
前記抗力係数は、当該ゴルフボールが前記優先スピン軸の周りに回転するとき、レイノルズ数約１３００００およびスピン量約３５００ｒｐｍにおいて約０．２４より大きい、請求項１７６のゴルフボール。
【請求項１８７】
前記抗力係数は、当該ゴルフボールが前記優先スピン軸の周りに回転するとき、レイノルズ数約１４００００およびスピン量約３５００ｒｐｍにおいて約０．２４より大きい、請求項１７６のゴルフボール。
【請求項１８８】
前記抗力係数は、当該ゴルフボールが前記優先スピン軸の周りに回転するとき、レイノルズ数約１５００００およびスピン量約３５００ｒｐｍにおいて約０．２３より大きい、請求項１７６のゴルフボール。
【請求項１８９】
前記抗力係数は、当該ゴルフボールが前記優先スピン軸の周りに回転するとき、レイノルズ数約１６００００およびスピン量約３５００ｒｐｍにおいて約０．２２より大きい、請求項１７６のゴルフボール。
【請求項１９０】
前記抗力係数は、当該ゴルフボールが前記優先スピン軸の周りに回転するとき、レイノルズ数約１７００００およびスピン量約３５００ｒｐｍにおいて約０．２２より大きい、請求項１７６のゴルフボール。
【請求項１９１】
前記抗力係数は、当該ゴルフボールが前記優先スピン軸の周りに回転するとき、レイノルズ数約１８００００およびスピン量約３５００ｒｐｍにおいて約０．２１より大きい、請求項１７６のゴルフボール。
【請求項１９２】
前記第１および第２の領域は、非公認ディンプルパターンを画定する、請求項１７６のゴルフボール。
【請求項１９３】
前記ＭＯＩの差は、約０．１００から約０．５００パーセントの範囲内である、請求項１６２のゴルフボール。
【請求項１９４】
前記ＭＯＩの差は、約０．２００から約０．５００パーセントの範囲内である、請求項１６２のゴルフボール。
【請求項１９５】
前記ＭＯＩの差は、約０．２５０から約０．５００パーセントの範囲内である、請求項１６２のゴルフボール。
【請求項１９６】
前記ＭＯＩの差は、約０．２００パーセントよりも大きい、請求項１６２のゴルフボール。
【請求項１９７】
前記ＭＯＩの差は、約０．３００パーセントよりも大きい、請求項１６２のゴルフボール。
【請求項１９８】
前記ＭＯＩの差は、約０．４００パーセントよりも大きい、請求項１６２のゴルフボール。
【請求項１９９】
前記ＭＯＩの差は、当該ゴルフボールの最大慣性モーメントから最小慣性モーメントを減じ、前記最大慣性モーメントで除して算出される、請求項１６２のゴルフボール。
【請求項２００】
前記第１および第２の領域は、前記優先スピン軸を形成するように構成され、前記最大慣性モーメントは、当該ボールが前記優先スピン軸の周りに回転するように配向されたときに達成される、請求項１９８のゴルフボール。
【請求項２０１】
前記最小慣性モーメントは、当該ボールが前記優先スピン軸の周りに回転するような配向と異なる配向であるときに達成される、請求項１９９のゴルフボール。
【請求項２０２】
前記優先スピン軸の周りに回転を生じる配向は、極水平（ＰＨ）配向である、請求項１９９のゴルフボール。
【発明の詳細な説明】
【技術分野】
【０００１】
ここに記載する実施形態は、概してゴルフボールに関し、具体的には所望の飛翔特性を創成するゴルフボールディンプルパターンに関する。
【背景技術】
【０００２】
ゴルフボールのディンプルパターンのデザインは、長らく、ボールの飛距離に重要な要因と考えられてきた。ゴルフボールの速度、打ち出し角およびスピン量は、ゴルフクラブとゴルフボールとのインパクトによって決定されるが、インパクトの後のボールの軌道は、重力およびボールの空気力学によって支配される。ゴルフボールのディンプルは、抗力および揚力の両方に影響し、ひいては、ボールがどのように飛翔するかを決定する。
【０００３】
飛翔中にゴルフボールに作用する空気力学的力は、解明されている物理法則に従って決定されるであろう。科学者は、これらの法則を理解してゴルフボールの飛翔を予測するような数学モデルを創成してきた。ゴルフボールの重さ、径並びに揚力係数および抗力係数のようないくつかの既に確定されている値と共に、これらのモデルを使用して、科学者は、これらの空気力学的力を揚力および抗力の直交成分に分解できた。揚力係数は、飛翔中のゴルフボールの経路に直角に作用する空気力学的力の成分に関係するが、抗力係数は、飛翔経路に平行に作用する空気力学的力の成分に関係する。揚力係数および抗力係数は、ゴルフボールのデザインにより変化し、一般にゴルフボールの速度およびスピン量の関数であり、球対称または「公認」ゴルフボールでは、ティー上でのゴルフボールの向きに殆ど依存しない。
【０００４】
飛翔中にゴルフボールが達成する最大高さは、ボールによって生成される揚力に直接関係するが、ゴルフボールが飛ぶ方向、具体的には、ゴルフボールが如何に真っ直ぐ飛ぶかは、スピンおよびゴルフボールの飛翔方向に対するゴルフボールのスピンの軸の向きを含むいくつかの要素に関係する。さらに、スピンおよびスピンの軸は、揚力ベクトルの向きおよび大きさを特定するのに重要である。揚力ベクトルは、ゴルフボールの飛翔経路をｘ、ｙおよびｚ方向に管理する際の主要因である。さらに、飛翔中にゴルフボールの合計揚力は、スピン速度、ボールの周囲の空気に対する速度およびゴルフボールの表面特性を含むいくつかの要素に依存して生成される。しかしながら、表面特性は、回転するゴルフボールの表面の全部が合計揚力の生成に等しく寄与する訳ではない。例として、ボールの表面が球対称なディンプルパターンを有し、スピン軸が両極を通るようにボールが打たれたなら、ゴルフボールの赤道に近い表面部分（つまり、スピン軸に直角な大円）が、極に近い部分よりも揚力の生成に重要である。しかしながら、ティーから真っ直ぐに打ち出されなかったゴルフボールは、線から外れ、意図した軌道から逸れるであろう。これは、ボールを打つときにゴルフボールにスライスまたはフックのスピンを与える娯楽のゴルファーの場合に多い。
【０００５】
フックまたはスライスの欠点を克服するために、あるゴルフボールメーカは、ゴルフボールの構造を、スピン量が少なくなるように変更してきた。それらの変更のいくつかは、堅いツーピースのカバーの利用、および、ゴルフボールの大きな慣性モーメントの使用を含む。他のメーカは、ボールの揚力特性を低減するようにボールの表面を変更することに頼ってきた。これらの変更は、ゴルフボールの揚力および抗力に影響を与えるためのディンプルパターンの変形を含む。
【０００６】
ある従来のゴルフボールは、未熟なゴルファーが確実に真っ直ぐな経路にボールを打ち出せるように、不完全な打撃の作用をずらすために、非公認または非対称のディンプルパターンのデザインがなされている。そのようなボールは、プロゴルフにおいては不正であるが、それらは、ゲームをより楽しく行う娯楽のゴルファーにとって、非常に有用である。そのようなボールの１つが、ネペラらの米国特許第３８１９１９０号に記載されている。このボールは、ポララ（Ｐｏｌａｒａ：商標）ゴルフボールとしても知られ、ディンプルの数が異なるかディンプルがない部分を有する。球形のボールの周りに延伸する円周帯域は、複数のディンプルを有するが、帯域と反対側の極部分は、少数のディンプルを有するかディンプルがない。この非対称ゴルフボールは、計測された揚力係数および抗力係数が、打たれる前のティー上でのゴルフボールの向きによって強く影響を受ける。これは、ゴルフボールの軌道が、ゴルフボールがティーの上でどのような向きであるかによって強く影響されるという事実から明らかである。このボールが正しく機能するために、ボールは、ティーの上に、ボールの極が意図する飛翔方向を指す平面内にあるように配置される必要がある。この向きにおいて、ボールは、最小の揚力を生成し、それ故フックおよびスライスをし難い。
【０００７】
他のゴルフボールは、ポリウレタン、バラタゴム、イオノマーまたは組み合わせのような高分子材料からなる単層または多層のカバーによってきつく取り囲まれた、ソリッドまたは糸巻きのいずれかの単層または多層のコアからなる。これらのゴルフボールのいくつかは、フックおよびスライスの曲がりを低減するが、この形式のボール構造は、ゴルフボール製造プロセスの追加コストという欠点を有する。
【発明の概要】
【発明が解決しようとする課題】
【０００８】
ここで開示するいくつかの実施形態は、フックおよびスライスの曲がりの低減をもたらすディンプルパターンを有するゴルフボールを提供する。
【課題を解決するための手段】
【０００９】
第１の局面において、ゴルフボールは、ボールの周囲の選択された円周帯域において、ディンプル容積を低減またはなくし、ボールの他の部分がより大きなディンプル容積を有するディンプルパターンにデザインされる。これは、ボールを横断して異なる領域に異なる容積のディンプルが配置されることで生じた重量差によって、ボールが「優先」スピン軸を有することをもたらす。これは、ひいては、飛翔中のボールの左右へ（フックおよびスライス）の曲がり傾向を低減する。１つの実施形態において、小さいディンプル容積の円周帯域は、赤道の周りにあって、極部分より小さいディンプル容積を有する。これは、両極を通る優先スピン軸を創成する。１つの実施形態において、ディンプルパターンは、ボールがその優先スピン軸の周りの選択された向きに回転するとき、比較的小さい揚力が呈されるようにもデザインされる。このゴルフボールは、米国ゴルフ協会（ＵＳＧＡ）規則において非公認または非対称である。
【００１０】
ゴルフボールの優先または選択されたスピン軸は、ゴルフボールのコアまたは中間層の中の特定の位置に高密度および低密度の材料を配置することによって達成されてもよいが、ゴルフボール製造プロセスにコストおよび複雑さを追加するという欠点を有する。
【００１１】
ディンプル容積が小さいか皆無の円周帯域が赤道付近に設けられ、極部分に大きなディンプル容積が与えられれば、極が水平な（ＰＨ）配向と他の配向との間の慣性モーメント（ＭＯＩ）の差が十分に大きいボールが創成され、そのボールは、該ボールの両極を通る優先的スピン軸を有する。優先スピン軸は、ボールの最も重量が小さい部分を通って延伸する。極部分があれば、優先軸は、極を通って延伸する。ボールがティーの上で、「優先軸」または両極を通る軸が上下を向くように配置（極が上下、または、ＰＯＰ配向）されたなら、打たれるときにＰＨ配向である配置と比較して、フックおよびスライスを修正する効果が低い。
【００１２】
他の局面において、ボールは、赤道（領域）の周りの帯域にディンプルを有せず、極部分に深いディンプルを有する。ディンプルのない領域は、継ぎ目のように狭くてもよく、また、広くても、つまり、赤道の隣の２列以上のディンプルを取り除いたものでもよい。
【００１３】
赤道周りの帯域においてディンプルの容積が小さいディンプルパターンのゴルフボールを創成することにより、および、ディンプル容積の小さい帯域に隣接する極部分からディンプルの容積を取り除くことにより、ボールは、極水平（ＰＨ）配向と他の配向との間で慣性モーメント（ＭＯＩ）が十分に大きいように形成され得る。ボールは、該ボールの両極を通る「優先」スピン軸を有し、この優先スピン軸は、通常の対称デザインのゴルフボールで純粋なバックスピン以外のものを生成するような方法でゴルファーがボールを打ったときに、フックまたはスライスを低減または防止しようとする。換言すると、このボールが、対称または公認ボールにおいて通常フックまたはスライスを引き起こすような方法で打たれたとき、ボールは、選択したスピン軸の周りに回転しようとし、それにより、選択または「優先」スピン軸を有しない対称なボールほどにはフックまたはスライスしない。１つの実施形態において、ディンプルパターンは、ＰＨ方向における回転の際には比較的低い揚力を生成するように設計される。得られるゴルフボールは、高いフックおよびスライスを矯正する特性を示す。
【００１４】
小容積のディンプルは、ボールの赤道周りの連続した帯域に配置される必要はない。小容量のディンプルは、大容量ディンプルと共に分散させられてもよく、帯域は、ある部分が他よりも広くてもよく。小容量ディンプルが配置される領域は、ボールの他の領域よりも球面部分（ディンプルがない部分）を多く有してもよい。極部分に配置された大容量ディンプルも、小容量ディンプルと共に分散されてもよく、極部分は、ある地点において他の地点よりも広くてもよい。主たるアイデアは、１つの実施形態において、ボールの表面を横断するディンプルの容積を操作することによって、ボールが回転するときの大きな慣性モーメントを創成することである。このＭＯＩの違いは、ボールが優先スピン軸を有することをもたらす。そして、ゴルフボールは、ボールがフックまたはスライス動作で打たれたときに、ボールが水平な回転軸の周りに回転しようとして、それにより、優先スピン軸を有しない対称なボールがフックまたはスライスする程にはフックまたはスライスしないように、優先スピン軸が略水平になるようにティーの上に配置される。ある実施形態において、優先スピン軸は、ＰＨ配向である。
【００１５】
優先スピン軸を創成する他の方法は、ボール表面に２以上の小容量の部分または容量のない部分を配置すること、および、優先スピン軸を形成するように、幾分同一平面にある部分を設けることであろう。例えば、小容量ディンプルの２つの領域が互いにボールの反対側に配置されたなら、ダンベル型の重量配分が存在する。この場合、ボールは、それが「ダンベル領域」を上下に入れ換えるように回転するとき、ボールの向きと等しい優先スピン軸を有する。
【００１６】
ボールは、また、右に約４５°傾けた優先スピン軸を有し、ボールがスライスするがフックしないように、ティーの上に配置され得る。ボールが４５°左に傾斜していれば、スライスの曲がりは許すが、フックの曲がりを低減または防止する。これは、ボールがフックまたはスライスしがちな未熟なゴルファーには有用であるかもしれない。ティーの上に、優先軸が上下を指すようにボールが配置されたとき（ＰＨ配向における優先スピン軸のＰＯＰ配向）、ボールは、ＰＨ配向に配置されたものと比べて、フックおよびスライスを矯正する効果が小さい。
【００１７】
他の特徴および利点は、以下の詳細な説明および添付の図面を参照した後の当業者にはすぐにより明らかとなるであろう。
【図面の簡単な説明】
【００１８】
本実施形態の詳細、構造および動作の両方は、添付の図面の検討によって、ある程度収集され、図面において、同じ参照番号は、同じ部分を参照する。
【図１】優先スピン軸を創成するためにデザインされた第１のディンプルパターンのデザインを示す、赤道を通って半分に切断したゴルフボールの第１の実施形態の半球の斜視図であり、対向する半球は同一のディンプルパターンを有する。
【図２】第２の異なるディンプルパターンのゴルフボールの第２実施形態を示す図１と同様の斜視図である。
【図３】第３のディンプルパターンのゴルフボールの第３実施形態を形成するための圧縮成形キャビティの半球を示す斜視図である。
【図４】第４のディンプルパターンのゴルフボールの第４実施形態を示す図１および２と同様の斜視図である。
【図５】第５のディンプルパターンのゴルフボールの第５実施形態を示す図１，２および４と同様の斜視図である。
【図６】異なるディンプルパターンを有するゴルフボールの第６実施形態を示す図１，２，４および５と同様の斜視図である。
【図７】異なるディンプルパターンを有するゴルフボールの第７実施形態を示す図１，２および４から６と同様の斜視図である。
【図８】赤道の周りのディンプルの列を取り除いた変更したディンプルパターンを示す図１と同様の斜視図である。
【図９】図１から７の実施形態の台形および球形ディンプルの弦深さの間の関係を示す図である。
【図１０】公知の非公認ポララ（Ｐｏｌａｒａ：商標）ボールおよび公知のトップフライトＸＬ（ＴｏｐＦｌｉｔｅＸＬ：商標）ストレートボールのディンプルパターンを有するボールと比較した、図１から７のディンプルパターンおよび図１のパターンの変形のそれぞれを有するボールの、最小配置と最大配置との間の慣性モーメント（ＭＯＩ）の差に対する平均飛距離および合計曲がりを示すグラフである。
【図１１】図１０と同じボールの最小配置と最大配置との間のＭＯＩの差に対する平均飛距離および合計曲がりを示すグラフである。
【図１２】それぞれのボールの曲がりを射程距離と共に示す、ロボットスライスショットにおける図１，２および３のボール並びにいくつかの公知のボールの飛翔の平面図を示すグラフである。
【図１３】各ボールの最大高さを示す図１２の飛翔経路の側面図である。
【図１４】図１２および１３のグラフの対象と同じボールの、それぞれ異なるボールの向きでの、スピン量３５００におけるレイノルズ数に対する揚力係数を示す図である。
【図１５】図１２および１３のグラフの対象と同じボールの、それぞれ異なるボールの向きでの、スピン量４５００におけるレイノルズ数に対する揚力係数を示す図である。
【図１６】図１２および１３のグラフの対象と同じボールの、それぞれ異なるボールの向きでの、スピン量３５００におけるレイノルズ数に対する抗力係数を示す図である。
【図１７】図１２および１３のグラフの対象と同じボールの、それぞれ異なるボールの向きでの、スピン量４５００におけるレイノルズ数に対する抗力係数を示す図である。
【図１８】他の実施形態に従って構成されているゴルフボールを示す図である。
【発明を実施するための形態】
【００１９】
この説明を読んだ後、当業者には、多様な変形実施例および変形用途における実施形態をどのように実施するかが明かとなるであろう。さらに、多様な実施形態がここで説明されるが、それらの実施形態は、例示の方法としてのみ提示され、限定ではない。そのように、この多様な変形実施形態の詳細な説明は、添付の特許請求の範囲の射程または広さを制限すると解釈してはならない。
【００２０】
図１から８は、以下により詳しく説明するような異なるディンプルパターンを有する非公認または非対称ボールのいくつかの実施形態を示す。それぞれの場合において、赤道を通って半分に切断されたボールの１つの半球（図３にはボールを形成するための金型のキャビティの半球）が図示され、他方の半球は、図示した半球と同一のディンプルパターンを有する。各実施形態において、ディンプルは、第１の領域において大きな合計容積を有し、第２の領域において小さな容積を有する。図示した実施形態において、容積の大きな第１の領域は、ボールの極部分であるが、第２の領域は、赤道の周りの帯域であって、小型ディンプル容積を有し、つまり、ボール表面から除去された材料の容積が小さく、赤道帯域周りの大きな重量によって、ボールの両極を通る優先スピン軸を生成するようにデザインされている。他の実施形態は、スピン軸を水平に配向してボールが打たれたとき（スピン軸が極を通って延伸するとき、ＰＨ）にフックおよびスライスの曲がりが低減されるようなボールの優先スピン軸をディンプルパターンが知らせるようにデザインされたディンプルパターンであれば、ボールの複数の異なる領域に小さい容積のディンプル領域を有してもよい。
【００２１】
図１−８の実施形態において、優先スピン軸は、ボールの両極を通る。図１−８のデザインは、優先スピン軸に直角なジャイロ中心平面、つまり、赤道帯域を通り赤道帯域と平行な面を有すると言えることが理解されるであろう。よって、図１−８のデザインは、ジャイロ中心平面の周囲の小容積ディンプルの部分を有すると言える。これらの実施形態において、ジャイロ中心平面は、すべての部分を通らない、つまり、大きなディンプル容積の部分を通らないことが認識されなければならない。
【００２２】
赤道または赤道部分および極は、ジャイロ中心平面に対して定め得ることも理解されなければならない。換言すると、赤道はジャイロ中心平面にあり、優先スピン軸は両極を通る。
【００２３】
図１８に示すように、ジャイロ中心平面１８０１に対してボール１０の周囲の約４５°の点１８０３の内側の領域の中により浅いディンプルを形成することは、さらに、以下に説明するボールのＰＨ方向の回転と、極上下に入れ替わる（ＰＯＰ）方向の回転との間のＭＯＩの差を増大させる。逆に、約４５°の点１８０３の内側に深いディンプルを形成すると、ボールのＰＨ方向の回転と極が上下に入れ替わる（ＰＯＰ）方向の回転との間のＭＯＩの差を減少させる。参考のために、優先スピン軸１８０２も図１８に示されている。
【００２４】
図１は、これよりディンプルパターンデザイン２８−１または「２８−１ボール」と呼ぶ非公認または非対称のゴルフボール１０の第１実施形態の１つの半球を示す。このディンプルパターンは、極水平方向と他の方向との間の慣性モーメント（ＭＯＩ）の差を形成するようにデザインされている。２８−１ボールのディンプルパターンは、それぞれの半球においてボールの赤道の周囲に３列の浅い台形ディンプル１２を有し、ボールは合計６列の浅い台形ディンプルを有する。極部分は、概して大きく深い球形ディンプル１４の第１の組と、大きく深い球形ディンプル１４の間に配置された概して小さく深い球形ディンプル１５の第２の組とを有する。浅い台形ディンプル１２の帯域に近い大きくな球形ディンプルの２列の中には、小型ディンプル１５は存在しない。この配置は、ボールの極部分から重量をより取り除き、ＰＨ方向のボール回転と極が上下に入れ替わる（ＰＯＰ）方向のボール回転との間のＭＯＩの差を増大させる。
【００２５】
以下の表１に、ボールの１つの半球に２８−１ディンプルパターンを形成するための半球状射出成形金型キャビティを形成するためのディンプルの半径、深さおよびディンプル位置情報を示し、もう一方の射出成形キャビティも同一である。表１に示すように、ボールは、合計４１０（ボールの各半球に２０５）のディンプルを有する。台形ディンプル１２は、それぞれ、同じ半径および台形弦深さを有するが、大小の球形ディンプルは、それぞれ、３つの異なる大きさ（表１において、小型ディンプル１，２および３と大型ディンプル５，６，７）を有する。表１は、台形ディンプルおよびそれぞれの異なる大きさの球形ディンプルの、ボールの１つの半球上の配置を示す。
【００２６】
【表１】
2013525034.tif 000003
2013525034.tif 000004
2013525034.tif 000005
【００２７】
図１および表１に示すように、先ず、第１の大型球形ディンプル１４の組は、３つの異なる半径のディンプル、具体的には、小さな半径（０．０６７インチ）の８つの第１のディンプル、大きな半径（０．０７２５インチ）の５２の第２のディンプル、および、最大半径（０．０７５インチ）の１６の第３のディンプルを含む。したがって、合計７６の大型球形ディンプル１４が、それぞれのボール１０の半球に存在する。次に、極に近い領域の大型ディンプルの間に配置された小型球形ディンプルの組も、約０．０３インチから約０．０４７インチまでの僅かに大きさが異なる３つがあり、ボールの１つの半球は３７の小型球形ディンプルを含む。台形ディンプルは、すべて同じ大きさであり、０．０６７インチの半径（第１の組の中で最も小型球形ディンプルと同じ）と、０．００３９インチの台形弦深ささとを有する。９２の台形ディンプルがボールの１つの半球に存在する。すべての球形ディンプル１４は、同じ０．０１２１インチの球形弦深さを有するが、小型球形ディンプル１５は、０．００８インチの球形弦深さを有する。したがって、台形ディンプルの台形弦深さは、球形ディンプルの球形弦深さよりも十分に小さく、大型球形ディンプル１４の深さの約３分の１であって、小型球形ディンプル１５の深さの約２分の１である。
【００２８】
このディンプル配置により、十分に多くの材料がボールの極部分から除去されて大きく深い球形ディンプルが形成され、少しの材料が除去されて赤道の周囲に浅い台形ディンプルの帯域を形成する。以下により詳細に説明する図１および表１の２８−１ディンプルパターンの試験は、ボールがティーの上に極水平（ＰＨ）配向に配置されたなら、曲がりが低減されることが期待されるような、両極を通る優先スピン軸を有するものとして見出される。このボールは、ボールが優先スピン軸周りに回転するとき、比較的低い揚力を発生する。
【００２９】
図２は、これより２５−１と呼ばれ、異なるディンプルパターンを有するボール１６の第２実施形態の１つの半球を示し、該実施形態は、各半球にボールの赤道の周りの３列の浅い台形ディンプル１８と、ボールの極部分の深い球形ディンプル２０とを有する。極に近い深いディンプルは、また、大型ディンプルの間に分散された小型ディンプル２２を有する。図２の全体的なディンプルパターンは、図１のものと同様であるが、ディンプルの合計の数が少ない（３８６）。ボール１６は、ボール１０と同じ数の台形ディンプルを有するが、ボール１０の球形ディンプルよりも少ない球形ディンプルを有し、その容積が小さい（下の表２参照）。ボール１６の各半球は、９２の台形ディンプルと、１０１の球形ディンプル２０および２２とを有する。パターン２８−１とパターン２５−１との間の主な違いは、２８−１ディンプルパターンの深いディンプルの間の小型ディンプルの数および容積が２５−１ディンプルパターンと比べて大きく、２８−１ディンプルパターンの大きく深いディンプルも２５−１の大型球形ディンプルパターンと比べて概して大きいので、図１の２８−１ボールが極部分からより多くの重量が除去されていることである。ボール１６の大型球形ディンプル２０は、すべて、２８−１ボールの最も小さい大型ディンプルの大きさと等しい同じサイズである。図２の台形ディンプルは、図１の台形ディンプルと同じサイズであり、台形ディンプルの半径は、大型球形ディンプル２０と同じサイズである。
【００３０】
表２に、図２の２５−１ディンプルパターンを形成するための射出成形金型キャビティを形成するための、ディンプルの半径、深さおよびディンプルの位置情報を示す。
【００３１】
【表２】
2013525034.tif 000006
2013525034.tif 000007
【００３２】
表２に示すように、２５−１ボールは、極部分に２つの異なるサイズの小型球形ディンプル２２（２８−１ボールのディンプル１および２と同じサイズのディンプル１および２）のみと、１サイズの大型球形ディンプル２０、つまり、２８−１ボールのディンプル５と同じ大きさのディンプル４のみとを有する。したがって、２８−１ボールは、同じ球形ディンプル、具体的には、２５−１ボールの球形ディンプル２０のいずれよりも小さい径の、表１のディンプル６および７を有する。
【００３３】
図３は、異なるディンプルパターンを有し、ディンプルパターンまたは２−９ディンプルパターンまたは２−９ボールとして特定される、ボールの第３実施形態を形成するようにデザインされた圧縮成形金型キャビティ２４の一方の半球を有する金型２３を示す。キャビティ２４は、ボールの赤道の周囲に３列の浅い台形ディンプルを形成するためにデザインされた３列の盛り上がった扁平な隆起２５と、ボールの極部分に深い球形ディンプルを形成するために極部分に盛り上がった概略半球状の隆起２６とを有する。結果的なディンプルパターンは、ボールのそれぞれの半球に、ボールの赤道の周りの３列の浅い台形ディンプルと、ボールの極部分の深い球形ディンプル２とを有する。図３に図示し、下の表３に示すように、２−９ディンプルパターンには１つの大きさの台形ディンプルおよび１つの大きさの球形ディンプルのみが存在する。台形ディンプルは、下の表３においてディンプル＃１で表され、球形ディンプルは、表３においてディンプル＃２で表されている。２−９ボールは、２８−１ボールおよび２５−１ボールの台形ディンプルと同じ大きさの９２の台形ディンプルと、２５−１ボールの大型球形ディンプルと同じ大きさの７６の深い球形ディンプルとを有する合計３３６のディンプルを有する。したがって、２８−１ボール、２５−１ボールおよび２−９ボールの赤道の周囲において、略同じディンプル容積が除去されているが、２８−１ボールの極部分では、２５−１ボールおよび２−９ボールにおけるものよりも大きなディンプル容積が除去されており、２−９ボールは、２８−１ボールおよび２５−１ボールよりも極部分において除去された容積が小さい。
【００３４】
同様に金型または金型の組が、ここで説明するすべての実施形態に使用され、金型２３は、例示の方法としてのみ示されることが理解されるであろう。
【００３５】
【表３】
2013525034.tif 000008
2013525034.tif 000009
【００３６】
下の表４は、２８−１ディンプルパターンとよく似ているので別には図示しない、２８−２ディンプルパターンのボールにおけるディンプルの形状、寸法、および、座標また配置を列挙する。２８−１ディンプルパターンのボールは、表４の番号５，６および７の異なる寸法の３種類の大型球形ディンプルと、番号１，２および３の異なる寸法の３種類の小型球形ディンプルとを有し、これらのディンプルの寸法は、表４の番号４の台形ディンプルの寸法と同様に、表１の２８−１ボールの対応するディンプルと同一である。２８−２ディンプルパターンは、ボールの２つの半球を分割する継ぎ目が２８−２ボールにおいて広く、ディンプルのいくつかの座標が表１と表４とを比較することによって定められるように僅かに異なることを除いて、２８−１ディンプルパターンと略同一である。
【００３７】
２８−２パターンのディンプルの座標は、下の表４に示される。
【００３８】
【表４】
2013525034.tif 000010
2013525034.tif 000011
【００３９】
図４から６は、異なるディンプルパターンを有する３つの異なるボール３０，４０および５０の半球を示す。ボール３０，４０および５０のディンプルパターンは、これより、ディンプルパターン２５−２，２５−３および２５−２と呼ぶ。２５−２，２５−３および２５−２は、それぞれが有する赤道を取り囲む台形ディンプルの列の数が異なることを除いて基本的に同じデザインを有するとう関係にある。図４から６のディンプルの寸法および位置は、それぞれ、下の表５，６および７に与えられる。
【００４０】
図４のボール３０または２５−２は、各半球の赤道に隣接する２列の（つまり、完成したボールにおいて合計４列の）浅い台形ディンプル３２と、それぞれの極部分に球形ディンプル３４とを有する。表５に示すように、２つの異なる大きさの球形ディンプル３４および２つの異なる大きさの台形ディンプル３２が存在する。
【００４１】
図５のボール４０または２５−３は、それぞれの赤道に隣接する４列の浅い台形ディンプル４２（つまり、完成したボールにおいて赤道の周囲に合計４列の浅い台形のディンプル）と、それぞれの極部分に深い球形ディンプル４４とを有する。図５に図示し、テーブル６に示すように、台形ディンプル４２は、３つの異なる大きさのものであり、赤道から３列目および４列目（つまり、極部分に近い２列）のディンプル列にのみ配置された最大サイズのディンプル４２Ａを有する。ボール４０は、また、表６に示すように、僅かに半径の異なる複数の球形ディンプルを有する。
【００４２】
図６のボール５０または２５−４は、それぞれの赤道の両側に浅い台形ディンプル５２（つまり、赤道周りの６列のディンプルの周囲帯域）と、それぞれの極部分に深い球形ディンプル５４とを有する。ボール５０は、表７に示すように、３つの異なる半径の球形ディンプルと、３つの異なる半径の台形ディンプルとを有する。図６に図示し下の表７に示すように、台形ディンプルの第３列、つまり、極部分に隣接する列は、いくつかの大型台形ディンプル５２Ａであって、表７においてディンプル＃５として示された３つの最大の台形ディンプルを有する。隣接する極部分も、図６に示すように、大型台形ディンプルと概略三角形のパターンに配置された、いくつかの大型球形ディンプル５４Ａを有する。ディンプル５４Ａは、表７においてディンプル＃６として示された３つの最大の球形ディンプルである。表７に示すように、すべてが０．０８７５インチの半径を有する合計１２の大型台形ディンプル＃５および合計１２の大型球形ディンプル＃６が存在する。図６は、３つの大型台形ディンプルと３つの大型球形ディンプルとの１箇所への配置を示す。図６に示したボールの半球の円周の残りに、等間隔の３箇所に、同様の配置が設けられている。
【００４３】
下の表５，６および７に示すように、ボール２５−２および２５−３は、それぞれ、赤道部分に３つの異なる大きさの台形ディンプルと、極部分に２つの異なる大きさの球形ディンプルとを有するが、ボール２５−４は、３つの異なる大きさの台形ディンプルと、３つの異なる大きさの球形ディンプルとを有する。極部分のディンプルは、赤道部分に４列（半球に２列）の台形ディンプルを有するボール２５−２において最大であり、赤道部分に４列の台形ディンプルを有するボール２５−３において最小である。代案の実施形態において、ボールは、各半球に１列の台形ディンプルを有し、球表面が赤道部分、赤道周りの２列または４列以上のディンプルと等しい幅を有する球表面または帯域においてディンプルを有しないように、或いは、赤道の周囲に位置するディンプルのない球表面領域と交互に位置するディンプルのある部分を有するように、形成されてもよい。
【００４４】
【表５】
2013525034.tif 000012
2013525034.tif 000013
【００４５】
【表６】
2013525034.tif 000014
【００４６】
【表７】
2013525034.tif 000015
【００４７】
ディンプルパターン２５−２，２５−３および２４−４は、赤道部分の周囲の台形ディンプルと極部分の周囲の深いディンプルとを有する点でパターン２−９と同様であるが、ディンプルパターン２５−２，２５−３および２４−４における台形ディンプルは、パターン２８−１，２５−１および２−９の台形ディンプルよりも径が大きい。赤道の近くの大型台形ディンプルは、赤道部分から重量をより多く除去することを意味する。他のすべての要因が同じであれば、これは、ボール２５−２，２５−３および２５−４が、ボール２８−１，２８−２，２５−１および２−９よりも、ＰＨ配向とＰＯＰ配向との間のＭＯＩの差が小さいことを意味する。
【００４８】
図７は、以下の説明においてディンプルパターン２８−３として特定される異なるディンプルパターンを有する他の実施形態に係るゴルフボール６０の一方の半球を示す。ボール６０のディンプルパターン２８−３は、赤道の両側に台形ディンプル６２の３つの列と、両極に小型球形ディンプル６４の領域と、ディンプル６４とディンプル６２との間の大型で深い球形ディンプル６５の領域とを含む。表８は、ゴルフボール６０のディンプルのパラメータおよび座標を示す。表８に示すように、ボール３８−３は、１つの大きさの台形ディンプルと、４つの大きさの大型球形ディンプル（ディンプル番号２，３，５および６）と、極部分の１つの大きさの小型球形ディンプル（ディンプル番号１）とを有する。
【００４９】
表８および図７に示すように、極の小型球形ディンプル６４は、すべて同じ半径であり、１３のディンプル６４が、各半球の極に中心を合わせた概略正方形パターンに配置されている。０．０７５インチから０．０８２５インチまで半径が徐々に増加する４つの異なる大型球形ディンプル６５（表８のディンプル番号２から６）がある。また、ディンプルパターン２８−３のボールは、各極部分に赤道の周りの赤道帯域よりもディンプルの大きい容積を配置したことで生じた重量の差によって、両極を通る優先軸スピン軸を有する。
【００５０】
２８−３ボールの１つの半球を形成するためのディンプルのパターンおよび座標は、下の表８に列挙される。
【００５１】
【表８】
2013525034.tif 000016
2013525034.tif 000017
【００５２】
１つの実施形態において、ボール２８−１，２８−２および２８−３の継ぎ目幅は、合計０．００８８インチ（各半球に振り分け）であったが、ボール２５−２，２５−３および２５−４の継ぎ目幅は、０．００６インチであり、ボール２５−１の継ぎ目幅は、０．０３０インチであった。
【００５３】
上述し、図１から７に示したそれぞれのディンプルパターンは、赤道の周りの帯域において小さいディンプル容積を有し、極部分において大きいディンプル容積を有する。これらのディンプルパターンを有するボールは、両極を通って延伸する優先スピン軸を有し、ボールがティーの上に優先スピン軸が実質的に水平になるように配置されたならばスライスおよびフックに抵抗する。ティーの上に優先スピン軸が上下を指すように（ＰＯＰ配向）配置されたなら、ボールは、ＰＨ配向に配置されたときと比較して、フックおよびスライスを矯正する作用が小さい。必要であれば、ボールは、ティーの上に優先スピン軸が約４５°だけ右に傾斜して配向されてもよく、この場合、ボールは、やはりスライスの曲がりを低減するが、フックの曲がりはあまり低減しない。優先スピン軸が左に約４５°傾斜していれば、ボールはフックの曲がりを低減するが、スライスの曲がりにはあまり抵抗しない。
【００５４】
図８は、図１のボール２８−１と同様のディンプルパターンを有するが、赤道の周囲にディンプルのない広い領域または球面領域７２を有するボール７０を示す。図８の実施形態において、部分７２は、図１のボール１０から赤道の両側のそれぞれ２列のディンプルを取り除き、１列の浅い台形ディンプル７４を残すことによって形成される。極部分のディンプルは、図１に示され、同じ参照番号が同じディンプルに使用されている。台形ディンプルの列は、赤道の周りのディンプルのない領域または表面領域を残すような同様の方法で、図２から７のいずれのボールから取り除かれてもよい。ある実施形態におけるディンプルのない領域は、幅広の継ぎ目のように狭くてもよく、或いは、赤道に隣接する円台形ディンプルの列の１列、２列またはすべてを取り除くことによって拡げられ、極水平（ＰＨ）配向と他の配向との間のＭＯＩの大きな差を生成するようにしてもよい。
【００５５】
図９は、上述のゴルフボールのディンプルパターンに用いられる台形ディンプルと球形ディンプルとの間の弦深さの関係を示す図である。約１．６８インチの直径を有するゴルフボールは、高分子の収縮に適応するために内径約１．６９４インチの金型を使用して成型された。図９は、ｄ２の球形弦深さ、および、破線の長さの半分として表される半径Ｒの球形ディンプル７６を有する、ゴルフボールの表面７５の一部を示す。台形ディンプルを形成するために、Ａ−Ａ平面に沿って切断がなされて、浅いディンプルが形成される。台形ディンプルは、球形弦深さｄ２よりも小さい台形弦深さｄ１を有する。ディンプルのエッジより上の取り除かれた被覆材の容積は、深さｄ３の破線上の容積Ｖ３によって表される。
Ｖ１＝台形ディンプルの容積であり、
Ｖ１＋Ｖ２＝球形ディンプルの容積であり、
Ｖ１＋Ｖ２＋Ｖ３＝球形ディンプルを形成するために取り除かれる被覆材の容積であり、そして、
Ｖ１＋Ｖ３＝台形ディンプルを形成するために取り除かれる被覆材の容積である。
同じ半径および球形弦深さに基づくディンプルのために、台形ディンプルを有するボールと円形ディンプルを有するボールとの間の慣性モーメントの差は、球形ディンプルの形成において除去され、台形ディンプルの形成において除去されない、線または平面Ａ−Ａの下の容積Ｖ２に関係する。ボールの一方が台形ディンプルのみを有し、他方が球形ディンプルのみを有し、他の要素が同じであり、他のすべての要素が同じであるボール台形ディンプルと球形ディンプルとの差が容積Ｖ２のみである（つまり他のディンプルのパラメータが同じ）場合、台形ディンプルを有するボールは、ディンプルを形成するために上面からより多くの材料が除去された球形ディンプルを有するボールよりも、重量が大きく、高いＭＯＩを有する。
【００５６】
適切な慣性モーメントは、図１から７および表１から８に示したボール（つまり、ボール２−９，２５−１から２５−４および２８−１から２８−３）のそれぞれのために計算できる。１つの実施形態において、これらのパラメータを有するボールは、ＳｏｌｉｄＷｏｒｋｓ（商標）によって図面化され、そして、それらのＭＯＩが、公知のポララ（Ｐｐｌａｒａ：商標）ゴルフボールを基準として参照して算出された。ＳｏｌｉｄＷｏｒｋｓ（商標）は、０．０３６４１３ｌｂｓ／ｉｎ＾３（ポンド／立方インチ）の均一なソリッド密度を有するボールに基づいてＭＯＩを計算するために使用された。各ボールの他の物理的大きさおよび重さのパラメータは、下の表９に与えられる。
【００５７】
【表９】
2013525034.tif 000018
それぞれのボールのＭＯＩは、ディンプルパターンの情報および表９の物理的情報に基づいて計算された。表１０は、ＭＯＩの計算を示す。
【００５８】
【表１０】
2013525034.tif 000019
【００５９】
基準であるポララ（Ｐｏｌａｒａ：商標）ゴルフボールを用い、各配向の間のＭＯＩの差が、互いに比較されるだけでなく、ポララゴルフボールとも比較された。２つの配向の間の最大の差を、図１０では「ＭＯＩΔ」と呼ぶ。ＭＯＩΔの右の２列は、２つの配向の間のＭＯＩの最大の％差、および、ポララボールのＭＯＩΔに対するＭＯＩΔとして、ＭＯＩΔを定量化する。質量およびＭＯＩの計算に使用した密度の値は、ゴルフボールの平均密度よりも小さいので、予測される各ボールの重さおよびＭＯＩは、相対的なものであって、製造し、ロボットで試験し、表１０に示したゴルフボールの実際のＭＯＩΔの値と厳密に同じではない。一般に、ゴルフボールの重さは約４５．５ｇ−４５．９ｇである。表１０のすべてのボールのＭＯＩの値の比較は、最小のＭＯＩの差を有する２５−３ボールおよび最大のＭＯＩの差を有する２８−２ボールを含む異なるデザインの間のＭＯＩの差の相対的な順位を予測する点において非常に有益である。
【００６０】
表１１は、ボールのＭＯＩΔがボールの曲がりのコントロールに強く影響することを示す。一般に、各ボールの相対ＭＯＩΔが増加すると、スライスショットのまがり距離が減少する。表１１に示した結果は、公知のトップフライトＸＬストレートボールの試験から得られたデータ、および、後で詳細に検討するような標準実験室条件の下でのロボット試験の間に得られるデータも含む。
【００６１】
【表１１】
2013525034.tif 000020
【００６２】
表１１に示すように、ボール２８−３，２５−１，２８−１および２８−２は、すべて、ポララに比べて高いＭＯＩΔを有し、それらのすべては、ポララよりも高い曲がりコントロール性を有する。このＭＯＩの差は、キャロウェイゴルフによって製造されたトップフライトＸＬストレートの試験データも含む図１０および１１にも示されている。
【００６３】
飛翔中のゴルフボールに作用する空気力学的力は、３つの力のベクトル：揚力、抗力および重力に分解できる。揚力ベクトルは、製品のスピンおよび速度ベクトルに交差する方向に作用する。抗力ベクトルは、速度ベクトルと反対方向に作用する。より具体的には、ゴルフボールの空気力学的特性は、レイノルズ数（Ｒｅ）と無次元スピンパラメータ（ＤＳＰ）の関数である揚力係数および抗力係数によって特徴付けられる。レイノルズ数は、空気中を飛行するゴルフボールに作用する慣性の粘性力に対する比を定量化する無次元量である。無次元スピンパラメータは、ゴルフボールの表面回転速度と空気中の速度との比である。
【００６４】
ゴルフボールの揚力係数および抗力係数は、ニュージャージー州ファーヒルズのＵＳＧＡテストセンターのもののような室内テストレンジおよびデンマークのインタラクティブスポーツグループによって造られたトラックマンネットシステム（Ｔｒａｃｋｍａｎ  Ｎｅｔ  Ｓｙｓｔｅｍ）のような屋外システムを含む、いくつかの異なる方法を用いて測定できる。上述の実施形態および比較のためにいくつかの従来のゴルフボールについてトラックマンネットシステムを使用して得られた試験結果を、以下に説明し、図１０から１７に示す。
【００６５】
右打ちのゴルファー、特にハンディキャップの高いゴルファーにとって、大きな問題は、ボールの「スライス」傾向である。意図しないスライスショットは、２つの意味でゴルファーに不利益である：１）ボールが意図した飛翔経路から右に逸れる、２）ショット飛距離全体を低減する。スライスしたゴルフボールは、ボールのスピン軸が右に傾いているので右に移動する。揚力は、定義上、スピン軸に直角であり、そのため、スライスしたゴルフボールの揚力は、右を向いている。
【００６６】
ゴルフボールのスピン軸は、ボールがその周りに回転する軸であり、通常、ゴルフボールが飛翔する方向に直角である。ゴルフボールのスピン軸が０°、つまり、純粋なバックスピンをも生じる水平スピン軸であれば、ボールはフックまたはスライスせず、０°のスピン軸と組み合わさった高い揚力は、ボールを高く飛翔させるだけである。しかしながら、ボールが０°以上のスピン軸を与えられるような方法で打たれたとき、ボールは、フックし、ボールは、０°未満のスピン軸ではスライスする。スピン軸の傾斜は、揚力を左または右の方向に向かわせ、ボールのフックまたはスライスを引き起こす。ボールの右または左への意図しない飛翔は、キャリー曲がりと呼ばれる。低く飛ぶゴルフボール、つまり、揚力の低いボールは、キャリー曲がりが小さいボールの強い指標である。
【００６７】
フックまたはスライス方向に作用する揚力の大きさは、揚力×ｓｉｎ（スピン軸角度）に等しい。高さ方向に作用する揚力の大きさは、揚力×ｃｏｓ（スピン軸角度）である。
【００６８】
スライスショットの共通原因は、開いたクラブフェースでボールを打つことである。この場合、クラブフェースの開きは、クラブの実効ロフトを増大し、それにより、ボールの合計スピン量を増大する。他のすべての要因を一定に保つと、大きなボールスピン量は、一般に高い揚力を生成し、これが、スライスショットがしばしばストレートショットまたはフックショットよりも高い軌道を有する理由である。
【００６９】
下の表は、約８５−１０５ｍｐｈの範囲のヘッドスピードを有するゴルファーにより、１０．５°のドライバーを使用し、様々な試作ゴルフボールおよび低スピンおよび通常スピンのゴルフボールと考えられる市販のゴルフボールを打った際の、合計ボールスピン量を示す。
2013525034.tif 000021
【００７０】
図１０は、それぞれのデザインについて上述のトラックマンシステムを使用したロボット試験から得られたデータを使用した、最小配向と最大配向と（ＵＳＧＡ規則の下で公認または対称ボールであるトップフライトＸＬはランダム配向）の間のＭＯＩの差の変化に対する平均キャリー曲がりおよび合計曲がりを示す。図１０の（および図４から６に示した）ボール２５−２，２５−３および２５−４は、ボール２５−２は両側に２列、ボール２５−３は４列、ボール２５−４は３列と、それぞれ赤道を取り囲むディンプルの列の数が異なることを除いて基本的に同じディンプルパターンを有するので、それらは関連する。図１０のデータから得られるボールのそれぞれの最小配向と最大配向との間の％ＭＯＩΔは、下の表１２に示されている。
【００７１】
【表１２】
2013525034.tif 000022
【００７２】
図１１は、それぞれのディンプルデザインの最小配向と最大配向との間のＭＯＩの差に対する平均キャリーおよび合計飛距離を示す。
【００７３】
下の表１３は、ボール２５−１，２８−１および２−９およびタイトリストＰｒｏＶ１およびトップフライトＸＬストレートボールのスライス試験の結果を示す。ボール２５−１，２８−１および２−９は、ＰＨ配向およびＰＯＰ配向の両方について試験した。この表には、キャリー曲がり、キャリー飛距離、合計曲がり、合計飛距離および転がり距離の平均値が示されている。これは、ボール２５−１，２８−１および２−９が、ＰＨ配向においてＰＯＰ配向よりも著しく曲がりが小さく、試験した公知の対称ボールであるＰｒｏＶ１およびトップフライトよりも曲がりが小さいことを示す。
【００７４】
【表１３】
2013525034.tif 000023
【００７５】
ゴルフボール２５−１，２８−１，２−９、ポララ２ｐ４／０８、タイトリストＰｒｏＶ１およびトップフライトＸＬストレートは、工業規格の実験室条件下でのいくつかの試験を受けて、ここに記載したディンプルパターンが取得した競合するゴルフボールと比べてよりよい性能を実証する。これらの試験において、ゴルフボール２５−１，２８−１，２−９の飛翔特性および距離特性を試験して、アクシネット（Ａｃｕｓｈｎｅｔ）製タイトリストＰｒｏＶ１、キャロウェイゴルフ製トップフライトＸＬストレート、および、パウンススポーツ社（Ｐｏｕｎｃｅ  Ｓｐｏｒｔ  ＬＬＣ）製ポララ２ｐ４／０８と比較した。また、ゴルフボール２５−１，２８−１，２−９、ポララ２ｐ４／０８は、極前後（ＰＦＢ）配向、極上下（ＰＯＰ）配向および極水平（ＰＨ）配向にして試験した。ＰｒｏＶ１およびトップフライトＸＬストレートは、ＵＳＧＡ公認球であり、そのため、球対称であると知られているため、そのような特定の配向では試験していない（ランダム配向）。ゴルフボール２５−１および２８−１は、基本的に同じ材料で形成され、デュポン製ＨＰＦ２０００を主とするコアとサーリン（Ｓｕｒｌｙｎ：商標）を混合（９１５０を５０％、８１５０を５０％）した被覆とからなる。被覆は、約０．０６インチの厚みである。
【００７６】
試験は、ゴルフラボラトリーズ社製ロボットを用い、同一のテーラーメイド（Ｔａｙｌｏｒ  Ｍａｄｅ：商標）のドライバーを使用して異なるクラブヘッド速度で行った。テーラーメードドライバーは、１０．５°のＲ９  ４６０クラブヘッドとモトーレ（Ｍｏｔｏｒｅ）６５”Ｓ”シャフトを有する。ゴルフボールは、無作為の順番で打たれた。さらに、ボールは、約１５−２５°のスライスをシミュレートする条件、例えば１５−２５°のネガティブスピンで試験された。
【００７７】
図１２および１３は、上記試験時のトラックマンネットシステムによる個別のショットの軌道の平面図および側面図の例である。図１２および１３のトラックマン軌道データは、ＰＨ配向のボール２８−１，２５−１および２−９がより真っ直ぐで（曲がりが少なく）、低く飛んでいる（低い軌道高さ）ことをはっきりと示す。図１３における最大高さデータは、各ゴルフボールによって生成される揚力係数（ＣＬ）と直接相互に関係する。この結果は、ＰｒｏＶ１およびトップフライトＸＬストレートが、ＰＨ配向の２８−１，２５−１または２−９ボールよりも大きな揚力を生成したことを示す。
【００７８】
［揚力係数および抗力係数試験および結果、ＣＬおよびＣＤ回帰］
図１４−１７は、２５−１，２８−１および２−９ディンプルデザイン並びにトップフライトＸＬストレート、ポララ２ｐおよびタイトリストＰｒｏＶ１のスピン量３５００ｒｐｍおよび４５００ｒｐｍのそれぞれにおけるレイノルズ数（Ｒｅ）に対する揚力係数および抗力係数（ＣＬおよびＣＤ）を示す。各グラフの曲線は、特定の配向における各ボールデザインの複数のストレートショットの回帰分析から生成された。
【００７９】
図１４−１７の曲線は、２０１０年１月から４月までの期間に行われた試験の間の、多様なスピンおよびレイノルズ数の条件における多くのショットの回帰分析の結果を示す。図１４から１７の回帰データを得るために、３つのレーダユニットからなるトラックマンネットシステムが使用されて、多様なゴルフクラブを使用したゴルフラボロボットにより打たれたゴルフボールの軌道を追跡した。ロボットは、多様な初期スピン量および速度のストレートショットを打つように設定された。風速計が、ロボットの位置の近くの２０フィートの高さの風速を計測するために使用された。トラックマンネットシステムは、軌道データ（時間に対するｘ，ｙ，ｚ位置）を測定した。軌道データは、レイノルズ数、ボールスピン量および無次元スピンパラメータを含む計測した経時変化する量の関数として揚力係数（ＣＬ）および抗力係数（ＣＤ）を計算するために使用される。それぞれのゴルフボールモのデルまたはデザインは、スピン量３０００−５０００ｒｐｍおよびレイノルズ数１２００００−１８０００を含む速度およびスピンの条件範囲において試験された。そして、レイノルズ数（Ｒｅ）および無次元スピン量（Ｗ）の関数である揚力係数および抗力係数の５項多変量回帰モデルは、各ボールデザインのデータに合わせた。ＣＬおよびＣＤの回帰方程式は、
ＣＬRegression＝ａ１×Ｒｅ＋ａ２×Ｗ＋ａ３×Ｒｅ２＋ａ４×Ｗ２＋ａ５×ＲｅＷ＋ａ６
ＣＤRegression＝ｂ１×Ｒｅ＋ｂ２×Ｗ＋ｂ３×Ｒｅ２＋ｂ４×Ｗ２＋ｂ５×ＲｅＷ＋ｂ６
ここで、ａｉ（ｉ＝１−６）は、揚力係数のための回帰係数であり、ｂｉ（ｉ＝１−６）は、抗力係数のための回帰係数である。
【００８０】
通常、測定したＲｅおよびＷの範囲内で予測（補間）されたＣＤおよびＣＬの値は、実測したＣＤおよびＣＬの値と略一致した。標準的な相関係数は９６−９８％である。
【００８１】
下の表１４Ａおよび１４Ｂは、図１４−１７に示したそれぞれのボールのための回帰定数である。これらの回帰定数を使用して、スピン量が３０００−５０００ｒｐｍでレイノルズ数が１２００００−１８００００の範囲で抗力係数および揚力係数を算出できる。図１４から１７は、スピンおよびＲｅの条件の非常に限定された（３５００または４５００ｒｐｍでＲｅが１２００００から１８００００まで変化する）設定で構成されており、表１４Ａおよび１４Ｂに示す揚力および抗力のための補間定数に含まれるデータの膨大な値の少しの例を単に提供する。定数は、３０００−５０００ｒｐｍのスピン量、且つ、１２００００−１８００００のレイノルズ数の範囲内の如何なる点の揚力係数および抗力係数を示すためにも使用できる。
【００８２】
【表１４Ａ】
2013525034.tif 000024
【００８３】
【表１４Ｂ】
2013525034.tif 000025
【００８４】
図１４から１７から定められるように、極水平（ＰＨ）配向のボール２５−１，２８−１および２−９の揚力係数は、レイノルズ数（Ｒｅ）が１８０００且つスピン量３５００ｒｐｍにおいて０．１０から０．１４の間であって、レイノルズ数（Ｒｅ）１２０００且つスピン量３５００ｒｐｍにおいて０．１４から０．２０の間であり、試験した他の３つのボール（ＰＨおよびＰＦＢのポララ２ｐ４／０８、ランダム配向のタイトリストＰｒｏＶ１およびトップフライトＸＬストレート）のＣＬよりも小さい。ＰＨ配向のボール２５−１，２８−１および２−９のスピン量４５００ｒｐｍにおける揚力係数またはＣＬは、図１５に示すように、Ｒｅ１８００００において０．１３から０．１６の間であり、Ｒｅ１２００００において０．１７から０．２５の間である。ＰＨ配向のボール２５−１，２８−１および２−９のスピン量３５００ｒｐｍにおける抗力係数（ＣＤ）は、図１６に示すように、Ｒｅ１５００００において０．２３から０．２６の間であり、Ｒｅ１２００００において０．２４から０．２７の間である。同じボールのスピン量４５００ｒｐｍにおけるＣＤ（図１７）は、Ｒｅ１２００００において０．２８から０．２９の間であり、Ｒｅ１８００００において０．２３から０．２６の間である。
【００８５】
スピン量３０００ｒｐｍ以上の典型的なスライス条件では、ＰＨ配向のボール２−９，２５−１，２８−１およびＰＦＢ配向のポララ２ｐは、市販のボール：ＰｒｏＶ１およびトップフライトＸＬストレートよりも低い揚力係数を示す。低い揚力係数は、ストレートショットでの低い軌道と、スライスショットでの小さい曲がりを意味する。ＰＨ配向のディンプルパターン２−９，２５−１，２８−１のボールは、スライスショットの特徴的Ｒｅおよびスピンの条件下において、ＰｒｏＶ１およびトップフライトＸＬストレートよりも約４０％低い揚力係数を有する。
【００８６】
表１５−１７は、ロボットテストのトラックマンレポートである。ロボットは、約７°のアウトサイド−インのクラブ軌道で、僅かにクラブフェースを開いたスライスショットを打つように設定された。クラブ速度は約９８−１００ｍｐｈであり、ボールの構造に応じて約３８００−５２００ｒｐｍの初期ボールスピンで、スピン軸は約１３−２１°であった。
【００８７】
【表１５】
2013525034.tif 000026
【００８８】
【表１６】
2013525034.tif 000027
【００８９】
【表１７】
2013525034.tif 000028
【００９０】
少なくとも赤道の周りの部分に沿ったディンプル容積が小さい領域と、極部分のディンプル容積が大きい領域とを含むディンプルパターンを有する上述の非公認ゴルフボールは、極水平配向または最大の配向と他の配向との間に十分に大きい慣性モーメント（ＭＯＩ）の差を有し、ボールが両極を通って延伸する優先スピン軸を有する。上述のように、この優先スピン軸は、従来の対称デザインのゴルフボールにおいて、通常はフックまたはスライスするような方法でボールを打ったときに、フックまたはスライスの曲がりを防止またはその量を低減することを助ける。この曲がりの低減は、図１０の上記実施形態および図１２の実施形態のいくつかについて示されている。優先スピン軸は、代案として、ゴルフボールのコアまたは中間層の中の特定の位置の比重の大きい材料および比重の小さい材料によって達成されてもよいが、そのような構造は、ゴルフボール製造プロセスの費用と複雑さと追加する。これに対し、上述の異なるディンプルパターンを有するボールは、例えば２−９ボールについて図３に示すように、半球状の金型キャビティの適切なデザインによって容易に製造できる。
【００９１】
図示した実施形態は、すべて、赤道の周りの帯域において、極部分のディンプル容積と比べて低減されたディンプル容積を有するが、同様の結果を達成する代案実施形態において、優先スピン軸を創成する他のディンプルパターンを使用してもよい。例えば、小さい容積のディンプルが、ボールの赤道の周りの帯域に連続して配置される必要はない。小さい容積のディンプルが、赤道の周りの大きい容積のディンプルの間に配置されてもよく、帯域が、円周のある部分において他よりも広くてもよく、帯域の一部が、円周の一部または全体の周囲においてディンプルを有さなくてもよく、赤道部分の周囲全体にディンプルがなくてもよい。他の実施形態は、ボール表面のディンプル容積が小さいか皆無である１以上の、幾分同一平面にある部分を有するディンプルパターンを含んでもよい。これもまた、優先スピン軸を生成する。１つの実施形態において、ディンプルの容積が小さい２つの部分が互いにボールの反対側に配置されたなら、ダンベル状の重量配分が形成される。これは、「ダンベル」部分を上下に入れ換える回転の際に、ボールの向きに等しい優先スピン軸を有するボールをもたらす。
【００９２】
上述の図１から８に示した実施形態のディンプルは円形ディンプルであるが、ディンプルは、米国特許６４０９６１５に記載されたもの、六角形ディンプル、米国特許６２９０６１５に記載されたもののような管形格子状ディンプル、および、他の従来のディンプル形状のような、非円形ディンプルを含むディンプルの種類および形状の広範な変形があることが理解されるであろう。また、それらのディンプルのいずれも、ここで説明した実施形態と併せて使用できることが理解されるであろう。本明細書および続く特許請求の範囲において使用した「ディンプル」との用語は、特に示したものでなければ、如何なるディンプルの種類または形状或いはディンプルの構造も含むことを企図する。
【００９３】
開示した実施形態の上の記載は、当業者が本発明を実施または使用できるようにするために提供されている。それらの実施形態の多様な変形は、当業者には自明であって、ここに説明した包括的原理は、本発明の精神および範囲を逸脱することなく、他の実施形態に適用できる。したがって、ここに提示した説明および図面は、本発明の現時点で好ましい実施形態を提示するものであり、それ故、本発明によって広く予見される主題の典型である。さらに、本発明の範囲が当業者に明らかとなるであろう他の実施形態を完全に包含し、本発明の範囲が添付の特許請求の範囲以外の何者によっても限定されないことが理解される。
【図１】
2013525034.tif 000029
【図２】
2013525034.tif 000030
【図３】
2013525034.tif 000031
【図４】
2013525034.tif 000032
【図５】
2013525034.tif 000033
【図６】
2013525034.tif 000034
【図７】
2013525034.tif 000035
【図８】
2013525034.tif 000036
【図９】
2013525034.tif 000037
【図１０】
2013525034.tif 000038
【図１１】
2013525034.tif 000039
【図１２】
2013525034.tif 000040
【図１３】
2013525034.tif 000041
【図１４】
2013525034.tif 000042
【図１５】
2013525034.tif 000043
【図１６】
2013525034.tif 000044
【図１７】
2013525034.tif 000045
【図１８】
2013525034.tif 000046
【手続補正書】
【提出日】平成24年12月27日(2012.12.27)
【手続補正１】
【補正対象書類名】特許請求の範囲
【補正対象項目名】全文
【補正方法】変更
【補正の内容】
【特許請求の範囲】
【請求項１】
外表面と、ジャイロ中心平面と、当該ボールの外表面に形成された複数のディンプルとを有し、前記外表面は、合わせて第１のディンプル容積を有する複数の第１のディンプルを含む１以上の第１の領域と、前記第１のディンプル容積よりも小さいディンプル容積を有する少なくとも１つの第２の領域とを含み、前記第１および第２の領域は、優先スピン軸を形成し、前記ジャイロ中心平面がすべての前記領域を通らないように構成されているゴルフボール。
【請求項２】
前記第１および第２の領域は、非公認ディンプルパターンを画定する、請求項１のゴルフボール。
【請求項３】
前記第２の領域は、赤道の周りの帯域を含み、前記１以上の第１の領域は、ボールの極部分を含む、請求項１のゴルフボール。
【請求項４】
前記帯域は、前記赤道の面の両側に１列が配置された少なくとも２列の第２のディンプルを含む、請求項３のゴルフボール。
【請求項５】
前記帯域は、２列から８列の第２のディンプルを含む、請求項３のゴルフボール。
【請求項６】
前記少なくとも１つの第２の領域は、前記ジャイロ中心平面に対して４５°までの位置にある、請求項１のゴルフボール。
【請求項７】
前記１以上の第１の領域は、前記ジャイロ中心平面に対して４５°までの位置の外側にある、請求項６のゴルフボール。
【請求項８】
前記第２のディンプルは、少なくとも前記第１のディンプルのいくつかよりも容積が小さい、請求項４のゴルフボール。
【請求項９】
前記第１のディンプルは、球形ディンプルであり、前記第２のディンプルは台形ディンプルである、請求項８のゴルフボール。
【請求項１０】
前記台形ディンプルの台形弦深さは、前記球形ディンプルの球形弦深さよりも小さい、請求項９のゴルフボール。
【請求項１１】
前記台形ディンプルは、前記球形ディンプルの少なくともいくつかの半径と等しい半径を有する、請求項１０のゴルフボール。
【請求項１２】
前記台形弦深さは、前記球形弦深さの半分より小さい、請求項１１のゴルフボール。
【請求項１３】
それぞれの前記台形ディンプルの前記台形弦深さは、約０．００４インチであり、それぞれの前記球形ディンプルの前記球形弦深さは、約０．０１２インチである、請求項１０のゴルフボール。
【請求項１４】
前記第１のディンプルおよび前記第２のディンプルは、台形ディンプルである、請求項８のゴルフボール。
【請求項１５】
前記第１のディンプルおよび前記第２のディンプルは、球形ディンプルである、請求項８のゴルフボール。
【請求項１６】
前記極部分の前記ディンプルは、少なくとも２つの異なる大きさのディンプルである、請求項３のゴルフボール。
【請求項１７】
前記極部分の前記ディンプルは、少なくとも３つの異なる大きさのディンプルである、請求項１６のゴルフボール。
【請求項１８】
前記極部分の少なくともいくつかの前記ディンプルは、約０．０６７インチから約０．０８７５インチの第１の範囲の半径を有する、請求項３のゴルフボール。
【請求項１９】
前記極部分の前記ディンプルのすべては、前記第１の範囲の半径を有する、請求項１８のゴルフボール。
【請求項２０】
前記極部分の前記ディンプルは、第１の範囲の半径を有する球形ディンプルの第１の組と、前記第１の範囲の半径よりも小さい第２の範囲の半径を有する球形ディンプルの第２の組とを含む、請求項３のゴルフボール。
【請求項２１】
前記第２の範囲の半径は、約０．０３インチから約０．０４インチである、請求項２０のゴルフボール。
【請求項２２】
第２の組の前記球形ディンプルは、すべて等しい大きさである、請求項２０のゴルフボール。
【請求項２３】
前記球形ディンプルの第２の組は、少なくとも２つの異なる大きさのディンプルを含む、請求項２０のゴルフボール。
【請求項２４】
前記球形ディンプルの第２の組は、３つの異なる大きさのディンプルを含む、請求項２３のゴルフボール。
【請求項２５】
第１の組の前記球形ディンプルは、すべて同じ大きさである、請求項２０のゴルフボール。
【請求項２６】
前記球形ディンプルの第１の組は、少なくとも２つの異なる半径のディンプルを含む、請求項２０のゴルフボール。
【請求項２７】
前記球形ディンプルの第１の組は、最小ディンプル半径と最大ディンプル半径との間の複数の異なる半径を有するディンプルを含む、請求項２６のゴルフボール。
【請求項２８】
前記第１の組のディンプルの大半は、前記最小ディンプル半径と前記最大ディンプル半径との間の半径を有する、請求項２７のゴルフボール。
【請求項２９】
前記最大ディンプル半径のディンプルは、前記最小ディンプル半径のディンプルよりも多い、請求項２７のゴルフボール。
【請求項３０】
前記極部分の前記ディンプルは、すべて同じ大きさである、請求項３のゴルフボール。
【請求項３１】
前記第２の組のディンプルの少なくともいくつかは、前記第１の組のディンプルの少なくともいくつかの半径の約半分の半径を有する、請求項２０のゴルフボール。
【請求項３２】
前記第２の組のディンプルは、約０．０３０から０．０４０インチの範囲の半径を有し、前記第１の組のディンプルは、約０．０６５から０．０７５インチの範囲の半径を有する、請求項２０のゴルフボール。
【請求項３３】
前記ディンプルの第２の組は、約０．０３０，０．０３５および０．０４０インチの直径を有するディンプルを含み、前記ディンプルの第１の組は、約０．０６７，０．０７２５および０．０７５インチの直径を有するディンプルを含む、請求項３１のゴルフボール。
【請求項３４】
前記ディンプルの第２の組は、それぞれ、約０．００８インチの球形弦深さを有し、前記ディンプルの第１の組は、それぞれ、約０．０１２インチの球形弦深さを有する、請求項２０のゴルフボール。
【請求項３５】
前記第２の組のディンプルは、前記第１の組のディンプルの少なくともいくつかの間にちりばめられている、請求項２０のゴルフボール。
【請求項３６】
前記第２の組のディンプルは、前記極に近い前記第１の組のディンプルの間にちりばめられ、当該ボールの周囲に延伸し、前記赤道の周りの帯域に隣接するそれぞれの前記極部分の少なくとも１つの領域は、前記第１の組のディンプルのみを含む、請求項３５のゴルフボール。
【請求項３７】
前記ディンプルの第２の組は、前記極のそれぞれの周囲に配置され、前記ディンプルの第１の組は、前記ディンプルの第２の組と前記赤道の周りの容積を減じた前記帯域との間に配置されている、請求項２０のゴルフボール。
【請求項３８】
前記第１のディンプルおよび前記第２のディンプルは、それぞれ、複数の異なる大きさのディンプルを含む、請求項９のゴルフボール。
【請求項３９】
前記赤道の周りの前記帯域は、ディンプルのない領域を含む、請求項３のゴルフボール。
【請求項４０】
前記赤道の周りの前記帯域は、ディンプルを含まない、請求項３９のゴルフボール。
【請求項４１】
前記ディンプルのない領域は、前記赤道の周りに延伸して、前記赤道の面を中心とし、前記帯域は、前記ディンプルのない領域の両側において当該ボールの周りに延伸する少なくとも１列のディンプルの列を含む、請求項３９のゴルフボール。
【請求項４２】
前記優先スピン軸は、両極を通って延伸し、それにより、当該ボールが極水平（ＰＨ）配向から打ち出されたときに低減された曲がりが生成される、請求項１のゴルフボール。
【請求項４３】
前記ディンプルの総数は、３３６から４１０の間である、請求項３のゴルフボール。
【請求項４４】
前記赤道の周りの前記帯域の前記ディンプルの総数は、１８４から２４０の間である、請求項３のゴルフボール。
【請求項４５】
一方の前記極部分の前記ディンプルの総数は、４８から１１３の間である、請求項４４のゴルフボール。
【請求項４６】
前記赤道の周りの前記帯域内の前記ディンプルは、台形であり、前記極部分の前記ディンプルの少なくともいくつかのものよりも小さい半径と、前記極部分の前記ディンプルの球形弦深さの半分以下の台形弦深さとを有する、請求項９のゴルフボール。
【請求項４７】
前記第１および第２の領域は、当該ゴルフボールがティーの上に前記優先軸が右に約４５°傾斜するように配向されたとき、フックの曲がりよりもスライスの曲がりが低減されるように構成されている、請求項１のゴルフボール。
【請求項４８】
前記第１および第２の領域は、当該ゴルフボールがティーの上に前記優先軸が左に約４５°傾斜するように配向されたとき、スライスの曲がりよりもフックの曲がりが低減されるように構成されている、請求項１のゴルフボール。
【請求項４９】
外表面と、ジャイロ中心平面と、当該ボールの外表面に形成された複数のディンプルとを有し、前記外表面は、合わせて第１のディンプル容積を有する複数の第１のディンプルを含む１以上の第１の領域と、前記第１のディンプル容積よりも小さい第２のディンプル容積を有する少なくとも１つの第２の領域とを含み、前記第１および第２の領域は、優先スピン軸を形成し、前記少なくとも１つの第２の領域が前記ジャイロ中心平面の周囲に形成されるように構成されているゴルフボール。
【請求項５０】
外表面と、ジャイロ中心平面と、当該ボールの外表面に形成された複数のディンプルとを有し、前記外表面は、合わせて第１のディンプル容積を有する複数の第１のディンプルを含む１以上の第１の領域と、前記第１のディンプル容積よりも小さい第２のディンプル容積を有する少なくとも１つの第２の領域とを含み、前記第１および第２の領域は、少なくとも０．１００パーセントの当該ゴルフボールの慣性モーメント（ＭＯＩ）の差を形成し、前記ジャイロ中心平面がすべての前記領域を通らないように構成されているゴルフボール。
【請求項５１】
前記ＭＯＩの差は、約０．１００から約０．５００パーセントの範囲内である、請求項５０のゴルフボール。
【請求項５２】
前記ＭＯＩの差は、約０．２００から約０．５００パーセントの範囲内である、請求項５０のゴルフボール。
【請求項５３】
前記ＭＯＩの差は、約０．２５０から約０．５００パーセントの範囲内である、請求項５０のゴルフボール。
【請求項５４】
前記ＭＯＩの差は、約０．２００パーセントよりも大きい、請求項５０のゴルフボール。
【請求項５５】
前記ＭＯＩの差は、約０．３００パーセントよりも大きい、請求項５０のゴルフボール。
【請求項５６】
前記ＭＯＩの差は、約０．４００パーセントよりも大きい、請求項５０のゴルフボール。
【請求項５７】
前記ＭＯＩの差は、当該ゴルフボールの最大慣性モーメントから最小慣性モーメントを減じ、前記最大慣性モーメントで除して算出される、請求項５０のゴルフボール。
【請求項５８】
前記第１および第２の領域は、前記優先スピン軸を形成するように構成され、前記最大慣性モーメントは、当該ボールが前記優先スピン軸の周りに回転するように配向されたときに達成される、請求項５７のゴルフボール。
【請求項５９】
前記最小慣性モーメントは、当該ボールが前記優先スピン軸の周りに回転するように配向されていないときに達成される、請求項５８のゴルフボール。
【請求項６０】
前記優先スピン軸の周りに回転を生じる配向は、極水平（ＰＨ）配向である、請求項５８のゴルフボール。
【請求項６１】
前記第１および第２の領域は、当該ボールがティーの上に前記ジャイロ中心平面が地面に垂直になり、前記ジャイロ中心平面が意図する飛翔の方向を指すように配置されたときに、それらが、従来のＵＳＧＡ公認ボールよりも約５％以上少ないキャリー曲がりを生成するように構成されている、請求項５８のゴルフボール。
【請求項６２】
前記第１および第２の領域は、当該ボールがティーの上に前記ジャイロ中心平面が地面に垂直になり、前記ジャイロ中心平面が意図する飛翔の方向を指すように配置されたときに、それらが、従来のＵＳＧＡ公認ボールよりも約１５％以上少ないキャリー曲がりを生成するように構成されている、請求項５８のゴルフボール。
【請求項６３】
前記第１および第２の領域は、当該ボールがティーの上に前記ジャイロ中心平面が地面に垂直になり、前記ジャイロ中心平面が意図する飛翔の方向を指すように配置されたときに、それらが、従来のＵＳＧＡ公認ボールよりも約２５％以上少ないキャリー曲がりを生成するように構成されている、請求項５８のゴルフボール。
【請求項６４】
前記第１および第２の領域は、当該ボールがティーの上に前記ジャイロ中心平面が地面に垂直になり、前記ジャイロ中心平面が意図する飛翔の方向を指すように配置されたときに、それらが、従来のＵＳＧＡ公認ボールよりも約３５％以上少ないキャリー曲がりを生成するように構成されている、請求項５８のゴルフボール。
【請求項６５】
前記第１および第２の領域は、当該ボールがティーの上に前記ジャイロ中心平面が地面に垂直になり、前記ジャイロ中心平面が意図する飛翔の方向を指すように配置されたときに、それらが、従来のＵＳＧＡ公認ボールよりも約４５％以上少ないキャリー曲がりを生成するように構成されている、請求項５８のゴルフボール。
【請求項６６】
前記第１および第２の領域は、当該ボールがティーの上に前記ジャイロ中心平面が地面に垂直になり、前記ジャイロ中心平面が意図する飛翔の方向を指すように配置されたときに、それらが、従来のＵＳＧＡ公認ボールよりも約５５％以上少ないキャリー曲がりを生成するように構成されている、請求項５８のゴルフボール。
【請求項６７】
前記第１および第２の領域は、当該ボールがティーの上に前記ジャイロ中心平面が地面に垂直になり、前記ジャイロ中心平面が意図する飛翔の方向を指すように配置されたときに、それらが、従来のＵＳＧＡ公認ボールよりも約６５％以上少ないキャリー曲がりを生成するように構成されている、請求項５８のゴルフボール。
【請求項６８】
前記第１および第２の領域は、当該ボールがティーの上に前記ジャイロ中心平面が地面に垂直になり、前記ジャイロ中心平面が意図する飛翔の方向を指すように配置されたときに、それらが、従来のＵＳＧＡ公認ボールよりも約７５％以上少ないキャリー曲がりを生成するように構成されている、請求項５８のゴルフボール。
【請求項６９】
前記第１および第２の領域は、当該ボールがティーの上に前記ジャイロ中心平面が地面に垂直になり、前記ジャイロ中心平面が意図する飛翔の方向を指すように配置されたときに、それらが、従来のＵＳＧＡ公認ボールよりも約８５％以上少ないキャリー曲がりを生成するように構成されている、請求項５８のゴルフボール。
【請求項７０】
外表面と、ジャイロ中心平面と、赤道および２つの極と、当該ボールの外表面に形成された複数のディンプルとを有し、前記外表面は、合わせて第１のディンプル容積を有する複数の第１のディンプルを含む１以上の第１の領域と、前記第１のディンプル容積よりも小さい第２のディンプル容積を有する少なくとも１つの第２の領域とを含み、前記第１および第２の領域は、優先スピン軸を形成し、当該ゴルフボールが、少なくとも０．１００パーセントの当該ゴルフボールの慣性モーメント（ＭＯＩ）の差を呈し、当該ボールが前記優先スピン軸の周りに約３５００ｒｐｍ以上のスピン量で回転するときに、レイノルズ数約１２００００において約０．２４よりも小さく、レイノルズ数約１８００００において約０．１８よりも小さい揚力係数を呈するように構成されているゴルフボール。
【請求項７１】
前記揚力係数は、当該ゴルフボールが前記優先スピン軸の周りに回転するとき、レイノルズ数約１３００００およびスピン量約３５００ｒｐｍにおいて約０．２３より小さい、請求項７０のゴルフボール。
【請求項７２】
前記揚力係数は、当該ゴルフボールが前記優先スピン軸の周りに回転するとき、レイノルズ数約１４００００およびスピン量約３５００ｒｐｍにおいて約０．２２より小さい、請求項７０のゴルフボール。
【請求項７３】
前記揚力係数は、当該ゴルフボールが前記優先スピン軸の周りに回転するとき、レイノルズ数約１５００００およびスピン量約３５００ｒｐｍにおいて約０．２１より小さい、請求項７０のゴルフボール。
【請求項７４】
前記揚力係数は、当該ゴルフボールが前記優先スピン軸の周りに回転するとき、レイノルズ数約１６００００およびスピン量約３５００ｒｐｍにおいて約０．２０より小さい、請求項７０のゴルフボール。
【請求項７５】
前記揚力係数は、当該ゴルフボールが前記優先スピン軸の周りに回転するとき、レイノルズ数約１７００００およびスピン量約３５００ｒｐｍにおいて約０．１９より小さい、請求項７０のゴルフボール。
【請求項７６】
前記揚力係数は、当該ゴルフボールが前記優先スピン軸の周りに回転するとき、レイノルズ数約１２００００およびスピン量約３５００ｒｐｍにおいて約０．１４より大きい、請求項７０のゴルフボール。
【請求項７７】
前記揚力係数は、当該ゴルフボールが前記優先スピン軸の周りに回転するとき、レイノルズ数約１３００００およびスピン量約３５００ｒｐｍにおいて約０．１３より大きい、請求項７０のゴルフボール。
【請求項７８】
前記揚力係数は、当該ゴルフボールが前記優先スピン軸の周りに回転するとき、レイノルズ数約１４００００およびスピン量約３５００ｒｐｍにおいて約０．１２より大きい、請求項７０のゴルフボール。
【請求項７９】
前記揚力係数は、当該ゴルフボールが前記優先スピン軸の周りに回転するとき、レイノルズ数約１５００００およびスピン量約３５００ｒｐｍにおいて約０．１２より大きい、請求項７０のゴルフボール。
【請求項８０】
前記揚力係数は、当該ゴルフボールが前記優先スピン軸の周りに回転するとき、レイノルズ数約１６００００およびスピン量約３５００ｒｐｍにおいて約０．１１より大きい、請求項７０のゴルフボール。
【請求項８１】
前記揚力係数は、当該ゴルフボールが前記優先スピン軸の周りに回転するとき、レイノルズ数約１７００００およびスピン量約３５００ｒｐｍにおいて約０．１１より大きい、請求項７０のゴルフボール。
【請求項８２】
前記揚力係数は、当該ゴルフボールが前記優先スピン軸の周りに回転するとき、レイノルズ数約１８００００およびスピン量約３５００ｒｐｍにおいて約０．１９より大きい、請求項７０のゴルフボール。
【請求項８３】
前記第１および第２の領域は、非公認ディンプルパターンを画定する、請求項７０のゴルフボール。
【請求項８４】
外表面と、ジャイロ中心平面と、当該ボールの外表面に形成された複数のディンプルとを有し、前記外表面は、合わせて第１のディンプル容積を有する複数の第１のディンプルを含む１以上の第１の領域と、前記第１のディンプル容積よりも小さい第２のディンプル容積を有する少なくとも１つの第２の領域とを含み、前記第１および第２の領域は、優先スピン軸を形成し、前記ジャイロ中心平面がすべての前記領域を通らず、且つ、少なくとも０．１００パーセントの当該ゴルフボールの慣性モーメント（ＭＯＩ）の差を形成するように構成されているゴルフボール。
【請求項８５】
前記第１および第２の領域は、非公認ディンプルパターンを画定する、請求項８４のゴルフボール。
【請求項８６】
前記第２の領域は、前記赤道の周りの帯域を含み、前記１以上の第１の領域は、ボールの極部分を含む、請求項８４のゴルフボール。
【請求項８７】
前記帯域は、前記赤道の面の両側に１列が配置された少なくとも２列の第２のディンプルを含む、請求項８６のゴルフボール。
【請求項８８】
前記帯域は、２列から８列の第２のディンプルを含む、請求項８６のゴルフボール。
【請求項８９】
前記第２のディンプルは、少なくとも前記第１のディンプルのいくつかよりも容積が小さい、請求項８７のゴルフボール。
【請求項９０】
前記第１のディンプルは、球形ディンプルであり、前記第２のディンプルは台形ディンプルである、請求項８９のゴルフボール。
【請求項９１】
前記台形ディンプルの台形弦深さは、前記球形ディンプルの球形弦深さよりも小さい、請求項９０のゴルフボール。
【請求項９２】
前記台形ディンプルは、前記球形ディンプルの少なくともいくつかの半径と等しい半径を有する、請求項９１のゴルフボール。
【請求項９３】
前記台形弦深さは、前記球形弦深さの半分より小さい、請求項９２のゴルフボール。
【請求項９４】
それぞれの前記台形ディンプルの前記台形弦深さは、約０．００４インチであり、それぞれの前記球形ディンプルの前記球形弦深さは、約０．０１２インチである、請求項９１のゴルフボール。
【請求項９５】
前記球形ディンプルの第２の組は、少なくとも２つの異なる大きさのディンプルを含む、請求項８６のゴルフボール。
【請求項９６】
前記球形ディンプルの第２の組は、３つの異なる大きさのディンプルを含む、請求項９５のゴルフボール。
【請求項９７】
前記極部分の少なくともいくつかの前記ディンプルは、約０．０６７インチから約０．０８７５インチの第１の範囲の半径を有する、請求項８６のゴルフボール。
【請求項９８】
前記極部分の前記ディンプルのすべては、前記第１の範囲の半径を有する、請求項９７のゴルフボール。
【請求項９９】
前記極部分の前記ディンプルは、第１の範囲の半径を有する球形ディンプルの第１の組と、前記第１の範囲の半径よりも小さい第２の範囲の半径を有する球形ディンプルの第２の組とを含む、請求項８６のゴルフボール。
【請求項１００】
前記第２の範囲の半径は、約０．０３インチから約０．０４インチである、請求項９９のゴルフボール。
【請求項１０１】
第２の組の前記球形ディンプルは、すべて等しい大きさである、請求項９９のゴルフボール。
【請求項１０２】
前記球形ディンプルの第２の組は、少なくとも２つの異なる大きさのディンプルを含む、請求項９９のゴルフボール。
【請求項１０３】
前記球形ディンプルの第２の組は、３つの異なる大きさのディンプルを含む、請求項１０２のゴルフボール。
【請求項１０４】
第１の組の前記球形ディンプルは、すべて同じ大きさである、請求項９９のゴルフボール。
【請求項１０５】
前記球形ディンプルの第１の組は、少なくとも２つの異なる半径のディンプルを含む、請求項９９のゴルフボール。
【請求項１０６】
前記球形ディンプルの第１の組は、最小ディンプル半径と最大ディンプル半径との間の複数の異なる半径を有するディンプルを含む、請求項１０５のゴルフボール。
【請求項１０７】
前記第１の組のディンプルの大半は、前記最小ディンプル半径と前記最大ディンプル半径との間の半径を有する、請求項１０６のゴルフボール。
【請求項１０８】
前記最大ディンプル半径のディンプルは、前記最小ディンプル半径のディンプルよりも多い、請求項１０６のゴルフボール。
【請求項１０９】
前記極部分の前記ディンプルは、すべて同じ大きさである、請求項８６のゴルフボール。
【請求項１１０】
前記第２の組のディンプルの少なくともいくつかは、前記第１の組のディンプルの少なくともいくつかの半径の約半分の半径を有する、請求項９９のゴルフボール。
【請求項１１１】
前記第２の組のディンプルは、約０．０３０から０．０４０インチの範囲の半径を有し、前記第１の組のディンプルは、約０．０６５から０．０７５インチの範囲の半径を有する、請求項９９のゴルフボール。
【請求項１１２】
前記ディンプルの第２の組は、約０．０３０，０．０３５および０．０４０インチの直径を有するディンプルを含み、前記ディンプルの第１の組は、約０．０６７，０．０７２５および０．０７５インチの直径を有するディンプルを含む、請求項１１０のゴルフボール。
【請求項１１３】
前記ディンプルの第２の組は、それぞれ、約０．００８インチの球形弦深さを有し、前記ディンプルの第１の組は、それぞれ、約０．０１２インチの球形弦深さを有する、請求項９９のゴルフボール。
【請求項１１４】
前記第２の組のディンプルは、前記第１の組のディンプルの少なくともいくつかの間にちりばめられている、請求項９９のゴルフボール。
【請求項１１５】
前記第２の組のディンプルは、前記極に近い前記第１の組のディンプルの間にちりばめられ、当該ボールの周囲に延伸し、前記赤道の周りの帯域に隣接するそれぞれの前記極部分の少なくとも１つの領域は、前記第１の組のディンプルのみを含む、請求項１１４のゴルフボール。
【請求項１１６】
前記ディンプルの第２の組は、前記極のそれぞれの周囲に配置され、前記ディンプルの第１の組は、前記ディンプルの第２の組と前記赤道の周りの容積を減じた前記帯域との間に配置されている、請求項９９のゴルフボール。
【請求項１１７】
前記第１のディンプルおよび前記第２のディンプルは、それぞれ、複数の異なる大きさのディンプルを含む、請求項９０のゴルフボール。
【請求項１１８】
前記赤道の周りの前記帯域は、ディンプルのない領域を含む、請求項８６のゴルフボール。
【請求項１１９】
前記赤道の周りの前記帯域は、ディンプルを含まない、請求項１１８のゴルフボール。
【請求項１２０】
前記ディンプルのない領域は、前記赤道の周りに延伸して、前記赤道の面を中心とし、前記帯域は、前記ディンプルのない領域の両側において当該ボールの周りに延伸する少なくとも１列のディンプルの列を含む、請求項１１８のゴルフボール。
【請求項１２１】
前記優先スピン軸は、両極を通って延伸し、それにより、当該ボールが極水平（ＰＨ）配向から打ち出されたときに低減された曲がりが生成される、請求項８４のゴルフボール。
【請求項１２２】
前記ディンプルの総数は、３３６から４１０の間である、請求項８６のゴルフボール。
【請求項１２３】
前記赤道の周りの前記帯域の前記ディンプルの総数は、１８４から２４０の間である、請求項８６のゴルフボール。
【請求項１２４】
一方の前記極部分の前記ディンプルの総数は、４８から１１３の間である、請求項１２３のゴルフボール。
【請求項１２５】
前記赤道の周りの前記帯域内の前記ディンプルは、台形であり、前記極部分の前記ディンプルの少なくともいくつかのものよりも小さい半径と、前記極部分の前記ディンプルの球形弦深さの半分以下の台形弦深さとを有する、請求項９０のゴルフボール。
【請求項１２６】
前記ＭＯＩの差は、約０．１００から約０．５００パーセントの範囲内である、請求項８４のゴルフボール。
【請求項１２７】
前記ＭＯＩの差は、約０．２００から約０．５００パーセントの範囲内である、請求項８４のゴルフボール。
【請求項１２８】
前記ＭＯＩの差は、約０．２５０から約０．５００パーセントの範囲内である、請求項８４のゴルフボール。
【請求項１２９】
前記ＭＯＩの差は、約０．２００パーセントよりも大きい、請求項８４のゴルフボール。
【請求項１３０】
前記ＭＯＩの差は、約０．３００パーセントよりも大きい、請求項８４のゴルフボール。
【請求項１３１】
前記ＭＯＩの差は、約０．４００パーセントよりも大きい、請求項８４のゴルフボール。
【請求項１３２】
前記ＭＯＩの差は、当該ゴルフボールの最大慣性モーメントから最小慣性モーメントを減じ、前記最大慣性モーメントで除して算出される、請求項８４のゴルフボール。
【請求項１３３】
前記第１および第２の領域は、前記優先スピン軸を形成するように構成され、前記最大慣性モーメントは、当該ボールが前記優先スピン軸の周りに回転するように配向されたときに達成される、請求項１３２のゴルフボール。
【請求項１３４】
前記最小慣性モーメントは、当該ボールが前記優先スピン軸の周りに回転するような配向と異なる配向であるときに達成される、請求項１３３のゴルフボール。
【請求項１３５】
前記優先スピン軸の周りに回転を生じる配向は、極水平（ＰＨ）配向である、請求項１３３のゴルフボール。
【国際調査報告】
2013525034.tif 000047
2013525034.tif 000048
2013525034.tif 000049